(57)【要約】【課題】視差画像データを合成すること。【解決手段】縦視差画像データは、奇数番目の画素行では、奇数のＣ画素データＣＭが画像データ「右」「左」「右」の順番で合成され、偶数のＣ画素データＣＭが画像データ「左」「右」「左」の順番で合成される。また、偶数番目の画素行では、奇数のＣ画素データＣＭが画像データ「左」「右」「左」の順番で合成され、偶数のＣ画素データＣＭが画像データ「右」「左」「右」の順番で合成される。また、「右」「左」「右」の順番で合成されたＣ画素データＣＭは右目用画像データをベースとし、「左」「右」「左」の順番で合成されたＣ画素データＣＭは左目用画像データをベースとしており、この２種類のＣ画素データＣＭが画素行の延在方向に交互に配置されるため、違和感のないスムーズな立体画像を表示可能な、視差画像データを合成することができる。【選択図】図７
2010109414.tif 000002
【特許請求の範囲】
【請求項１】
所定方向に配列された３つの異なる色のサブ画素によって１つの画素を構成し、前記画素が行列状に配置された表示部に、
第１の視点から撮像され、３つの異なる色のサブ画素データによって１つの画素データを構成し、前記表示部での画素配列に対応した複数の前記画素データを有する第１視点データと、
前記第１の視点とは異なる第２の視点から撮像され、３つの異なる色のサブ画素データによって１つの画素データを構成し、前記表示部での画素配列に対応した複数の前記画素データを有する第２視点データと、を合成して生成された視差画像データの表示方法であって、
前記表示部の表示姿勢が、前記表示部の前記所定方向を水平方向とした第１表示姿勢と、前記所定方向と直交する方向を水平方向とした第２表示姿勢と、のいずれかの状態であるかを認識して、前記表示部が前記第１表示姿勢であることを認識した場合は、
前記表示部の所定の画素において、
前記第１視点データ及び前記第２視点データのいずれか一方における前記所定の画素に対応した前記画素データを構成する３つの前記サブ画素データのうち、相互に隣り合わない２つの前記サブ画素データと、
前記第１視点データ及び前記第２視点データのいずれか他方における前記所定の画素に対応した前記画素データを構成する３つの前記サブ画素データのうち、相互に隣り合わない２つの前記サブ画素データに挟まれた１つの前記サブ画素データと、を前記視差画像データとして表示するとともに、前記表示部の前記所定方向に前記第１視点データと前記第２視点データとを交互に配置させた表示を行い、
前記表示部が前記第２表示姿勢であることを認識した場合は、
前記表示部の前記所定方向と直交した方向に配列する所定の複数の前記画素に対応した前記第１視点データの複数の前記画素データを、前記視差画像データとして、前記表示部の前記所定方向に配列した複数の前記画素に対応させて表示し、
前記表示部の前記所定の複数の前記画素に隣り合って前記所定方向と直交した方向に配列する複数の前記画素に対応した前記第２視点データの複数の前記画素データを、前記視差画像データとして、前記第１視点データが表示された前記表示部の前記所定方向に配列した複数の前記画素に隣り合う他の前記表示部の前記所定方向に配列した複数の前記画素に対応させて表示するとともに、前記表示部の前記所定方向と直交する方向に前記第１視点データと前記第２視点データとを交互に配置させた表示を行うことを特徴とする視差画像データの表示方法。
【請求項２】
前記画素は、赤色、緑色、青色の３つのサブ画素から構成されていることを特徴とする請求項１に記載の視差画像データの表示方法。
【請求項３】
請求項１または２に記載の視差画像データの表示方法によって指向性表示を行う表示装置であって、
前記視差画像データの画素データ数を含む複数の画素を有する表示パネルと、
前記表示パネルの背面に配置された面発光装置と、
前記表示パネルの前面に配置され、前記表示パネルから出射される表示光を透過／遮光可変に設けられた複数の偏光領域を有する視差バリア部と、を備え、
前記複数の偏光領域のうち、透過に設定された前記偏光領域を透過部とし、遮光に設定された前記偏光領域を遮光部としたときに、
前記表示パネルに、前記第１表示姿勢用の視差画像データが供給された場合、
前記画素データ行の延在方向において、２つの前記画素からなる画素対ごとに前記遮光部が形成されるとともに、前記遮光部と前記透過部とが交互に配置され、
さらに、前記画素データ列の延在方向においても、前記遮光部と、前記透過部とが交互に配置されるように、前記偏光領域を変化させることを特徴とする表示装置。
【請求項４】
前記表示パネルに、前記第２表示姿勢用の視差画像データが供給された場合、
前記画素データ列の延在方向において、連続する２つの画素行からなる画素行対ごとに前記遮光部が形成されるとともに、前記遮光部と前記透過部とが交互に配置されるように、前記偏光領域を変化させることを特徴とする請求項３に記載の表示装置。
【請求項５】
前記視差バリア部は、
偏光軸の異なる第１領域と第２領域とを有する位相差板と、
偏光軸を可変に設けられた第３領域と第４領域とを有するバリア液晶パネルと、
偏光板とが、この順番で重ねられてなり、
前記第１領域は、前記第１表示姿勢用の視差画像データが供給された場合における前記遮光部の位置に重なるように配置され、前記第２領域は、前記透過部の位置に重なるように配置され、
前記第３領域は、前記第２表示姿勢用の視差画像データが供給された場合における前記遮光部の位置に重なるように配置され、前記第４領域は、前記透過部の位置に重なるように配置されていることを特徴とする請求項４に記載の表示装置。
【請求項６】
請求項１または２に記載の視差画像データの表示方法によって指向性表示を行う表示装置であって、
前記視差画像データの画素データ数を含む複数の画素を有する表示パネルと、
前記表示パネルの背面に配置され、点灯／消灯可変に設けられた複数の発光画素を有する面発光装置と、を備え、
前記複数の発光画素のうち、点灯された前記発光画素を点灯部とし、消灯された前記発光画素を消灯部としたときに、
前記表示パネルに、前記第１表示姿勢用の視差画像データが供給された場合、
前記画素データ行の延在方向において、２つの前記画素からなる画素対ごとに前記画素対における２つの画素間を跨ぐ部分が前記点灯部とされるとともに、前記点灯部と前記消灯部とが交互に配置され、
さらに、前記画素データ列の延在方向においても、前記点灯部と、前記消灯部とが交互に配置されるように、前記発光画素を点灯または消灯させることを特徴とする表示装置。
【請求項７】
前記表示パネルに、前記第２表示姿勢用の視差画像データが供給された場合、
前記画素データ列の延在方向において、連続する２つの画素行からなる画素行対ごとに前記画素行対における２つの画素行間を跨ぐ部分が前記点灯部とされるとともに、前記点灯部と前記消灯部とが交互に配置されるように、前記発光画素を点灯または消灯させることを特徴とする請求項６に記載の表示装置。
【請求項８】
前記面発光装置の前記発光画素は、第１発光画素と、第２発光画素とを含み、
前記第１表示姿勢用の視差画像データが供給された場合には、前記第１発光画素が選択的に点灯され、
前記第２表示姿勢用の視差画像データが供給された場合には、前記第２発光画素が選択的に点灯されることを特徴とする請求項７に記載の表示装置。
【請求項９】
前記液晶パネルの表示姿勢を検知する姿勢センサをさらに備え、
前記姿勢センサの検知データに基づいて、前記バリア液晶パネルの駆動制御、または、前記発光画素を備えた面発光装置の点灯制御を行うことを特徴とする請求項５〜８のいずれか一項に記載の表示装置。
【請求項１０】
請求項３〜９のいずれか一項に記載の表示装置を備えたことを特徴とする電子機器。
【発明の詳細な説明】
【技術分野】
【０００１】
本発明は、表示装置、および電子機器、並びに視差画像データの表示方法に関する。
【背景技術】
【０００２】
特許文献１には、液晶パネルの表面に、所定パターンの開口部を有する遮光性の光学フィルタ（以降、「視差バリア」という）を重ねることで、複数の異なる画像（例えば第１の画像と第２の画像）を互いに異なる範囲に指向性表示する表示装置が開示されている。
この表示装置は、視差バリアにより、視角に応じて異なる画素がマスク（遮光）されること、換言すれば、視角に応じて異なる画素からの光が開口部を通して視認されることを利用したものである。このような指向性表示が可能な装置によれば、例えば、第１の画像と第２の画像とを異なる人物に同時に視認させることができる。また、第１の画像を構成する光が左目に、第２の画像を構成する光が右目に入射するような構成とすれば、立体表示を行うこともできる。
【０００３】
特許文献２には、液晶パネルの背面側に、垂直方向に延在した複数のライン状の光源が形成されたバックライトを備えた表示装置が開示されている。ライン状光源は、液晶パネルの垂直方向における隣り合う２つの画素列の間に配置され、また、それぞれのライン状光源間には間隙が設けられ、縦方向のストライプ状をなしている。
この表示装置においても、前述した表示装置と同様な指向性表示が可能であった。これは、光を出射するライン状光源と、光を出射しないライン状の遮光部（ライン状光源間の間隙）とを有する平面光源が、視差バリアの機能も果たしているからである。
【０００４】
また、このような表示装置に対する市場の要望としては、前述した指向性表示に加えて、表示の縦横方向を切換える、いわゆる「縦横表示」を行いたいという要望もある。
例えば、携帯電話が使用されている姿勢を検知して、縦および横のいずれの姿勢においても、その状態で正対した画像を表示させたいという要望があった。
【０００５】
【特許文献１】特開平８−１１１２８６号公報（図１）
【特許文献２】米国特許第５３４９３７９号明細書（図１）
【発明の開示】
【発明が解決しようとする課題】
【０００６】
しかしながら、前述した従来の表示装置では、縦横表示それぞれにおいて、指向性表示を行うことは困難であるという課題があった。
また、通常の２次元画像を表示する表示装置において、スイッチの切換操作によって、縦横表示の切換えを実現したものは知られていたが、表示画面の姿勢を検知して表示を切換えるものは、見当たらなかった。
特に、指向性表示を行う場合においては、例えば、立体表示の場合、左目用画像データと右目用画像データとを、１つの視差画像データに合成する必要があるが、この合成方法についてなんら開示されていないという課題があった。
【課題を解決するための手段】
【０００７】
本発明は、上記課題の少なくとも一部を解決するためになされたものであり、以下の適用例又は形態として実現することが可能である。
【０００８】
（適用例）
所定方向に配列された３つの異なる色のサブ画素によって１つの画素を構成し、画素が行列状に配置された表示部に、第１の視点から撮像され、３つの異なる色のサブ画素データによって１つの画素データを構成し、表示部での画素配列に対応した複数の画素データを有する第１視点データと、第１の視点とは異なる第２の視点から撮像され、３つの異なる色のサブ画素データによって１つの画素データを構成し、表示部での画素配列に対応した複数の画素データを有する第２視点データと、を合成して生成された視差画像データの表示方法であって、表示部の表示姿勢が、表示部の所定方向を水平方向とした第１表示姿勢と、所定方向と直交する方向を水平方向とした第２表示姿勢と、のいずれかの状態であるかを認識して、表示部が第１表示姿勢であることを認識した場合は、表示部の所定の画素において、第１視点データ及び第２視点データのいずれか一方における所定の画素に対応した画素データを構成する３つのサブ画素データのうち、相互に隣り合わない２つのサブ画素データと、第１視点データ及び第２視点データのいずれか他方における所定の画素に対応した画素データを構成する３つのサブ画素データのうち、相互に隣り合わない２つのサブ画素データに挟まれた１つのサブ画素データと、を視差画像データとして表示するとともに、表示部の所定方向に第１視点データと第２視点データとを交互に配置させた表示を行い、表示部が第２表示姿勢であることを認識した場合は、表示部の所定方向と直交した方向に配列する所定の複数の画素に対応した第１視点データの複数の画素データを、視差画像データとして、表示部の所定方向に配列した複数の画素に対応させて表示し、表示部の所定の複数の画素に隣り合って所定方向と直交した方向に配列する複数の画素に対応した第２視点データの複数の画素データを、視差画像データとして、第１視点データが表示された表示部の所定方向に配列した複数の画素に隣り合う他の表示部の所定方向に配列した複数の画素に対応させて表示するとともに、表示部の所定方向と直交する方向に第１視点データと第２視点データとを交互に配置させた表示を行うことを特徴とする視差画像データの表示方法。
【０００９】
この表示方法によれば、異なる視点において撮像された第１視点データと、第２視点データとから、第１姿勢で用いられる視差画像データと、第２姿勢で用いられる視差画像データとを合成することができるとともに、各姿勢において指向性表示を行うことができる。特に、第１姿勢において、第１視点データを右目用画像データとし、第２視点データを左目用画像データとした２視点による立体画像を表示する場合に、この表示方法は適している。
詳しくは、立体画像の場合、左右の画像データのバランスが悪いと違和感のある画像となってしまうが、本適用例による表示方法によれば、２視点において必要となる画素行に沿って左右のサブ画素データが交互に配置されることに加えて、視差画素データの画素行を構成する視差画素データのベースとなる画素データが左目用画像データと右目用画像データとで交互に配置されることになるため、違和感のないスムーズな立体画像を表示することができる。
従って、違和感のないスムーズな立体画像を表示可能な視差画像データの合成方法を提供することができる。なお、実施形態では、サブ画素を画素として、３つのサブ画素からなる１つの画素をカラー画素として説明している。
また、画素は、赤色、緑色、青色の３つのサブ画素から構成されていることが好ましい。
【００１０】
また、上記記載の視差画像データの表示方法によって指向性表示を行う表示装置であって、視差画像データの画素データ数を含む複数の画素を有する表示パネルと、表示パネルの背面に配置された面発光装置と、表示パネルの前面に配置され、表示パネルから出射される表示光を透過／遮光可変に設けられた複数の偏光領域を有する視差バリア部と、を備え、複数の偏光領域のうち、透過に設定された偏光領域を透過部とし、遮光に設定された偏光領域を遮光部としたときに、表示パネルに、第１表示姿勢用の視差画像データが供給された場合、画素データ行の延在方向において、２つの画素からなる画素対ごとに遮光部が形成されるとともに、遮光部と透過部とが交互に配置され、さらに、画素データ列の延在方向においても、遮光部と、透過部とが交互に配置されるように、偏光領域を変化させることが好ましい。
【００１１】
また、表示パネルに、第２表示姿勢用の視差画像データが供給された場合、画素データ列の延在方向において、連続する２つの画素行からなる画素行対ごとに遮光部が形成されるとともに、遮光部と透過部とが交互に配置されるように、偏光領域を変化させることが好ましい。
また、視差バリア部は、偏光軸の異なる第１領域と第２領域とを有する位相差板と、偏光軸を可変に設けられた第３領域と第４領域とを有するバリア液晶パネルと、偏光板とが、この順番で重ねられてなり、第１領域は、第１表示姿勢用の視差画像データが供給された場合における遮光部の位置に重なるように配置され、第２領域は、透過部の位置に重なるように配置され、第３領域は、第２表示姿勢用の視差画像データが供給された場合における遮光部の位置に重なるように配置され、第４領域は、透過部の位置に重なるように配置されていることが好ましい。
【００１２】
また、上記記載の視差画像データの表示方法によって指向性表示を行う表示装置であって、視差画像データの画素データ数を含む複数の画素を有する表示パネルと、表示パネルの背面に配置され、点灯／消灯可変に設けられた複数の発光画素を有する面発光装置と、を備え、複数の発光画素のうち、点灯された発光画素を点灯部とし、消灯された発光画素を消灯部としたときに、表示パネルに、第１表示姿勢用の視差画像データが供給された場合、画素データ行の延在方向において、２つの画素からなる画素対ごとに画素対における２つの画素間を跨ぐ部分が点灯部とされるとともに、点灯部と消灯部とが交互に配置され、さらに、画素データ列の延在方向においても、点灯部と、消灯部とが交互に配置されるように、発光画素を点灯または消灯させることが好ましい。
【００１３】
また、表示パネルに、第２表示姿勢用の視差画像データが供給された場合、画素データ列の延在方向において、連続する２つの画素行からなる画素行対ごとに画素行対における２つの画素行間を跨ぐ部分が点灯部とされるとともに、点灯部と消灯部とが交互に配置されるように、発光画素を点灯または消灯させることが好ましい。
また、面発光装置の発光画素は、第１発光画素と、第２発光画素とを含み、第１表示姿勢用の視差画像データが供給された場合には、第１発光画素が選択的に点灯され、第２表示姿勢用の視差画像データが供給された場合には、第２発光画素が選択的に点灯されることが好ましい。
【００１４】
また、液晶パネルの表示姿勢を検知する姿勢センサをさらに備え、姿勢センサの検知データに基づいて、バリア液晶パネルの駆動制御、または、発光画素を備えた面発光装置の点灯制御を行うことが好ましい。
【００１５】
上記記載の表示装置を備えたことを特徴とする電子機器。
【発明を実施するための最良の形態】
【００１６】
以下、本発明の実施形態について、図面を参照して説明する。なお、以下の各図においては、各層や各部材を図面上で認識可能な程度の大きさとするため、各層や各部材毎に縮尺を異ならしめてある。
【００１７】
（実施形態１）
「表示装置の概要」
図１は、本実施形態に係る表示装置を備えた電子機器の一態様を示す図である。
まず、本発明の実施形態１に係る表示装置１００の概要について、図１を用いて説明する。
【００１８】
図１（ａ）には、本実施形態に係る表示装置１００を搭載した携帯型のＭＭＰ（マルチメディアプレーヤ）５００が示されている。ＭＭＰ５００は、内蔵のハードディスクドライブや、メモリデバイスなどに記憶されている音楽や、動画、写真などを再生可能に設けられている。
表示装置１００は、略正方形をなした表示パネル７０を備えており、当該パネルには、複数の画素がマトリックス状に配置されている。なお、図１（ａ）では、位置の基準となる基準画素Ｐ11のみ示しているが、基準画素Ｐ11からＸ軸（＋）方向には複数の画素からなる画素行が構成され、Ｙ軸（−）方向には画素列が構成されている。なお、具体的な画素の配置態様については後述する。
【００１９】
ここで、基準画素Ｐ11は、図面に向って表示パネル７０の左上に位置し、基準画素Ｐ11から始まる画素行の延在方向はＸ軸（＋）方向となっている。また、図中の矢印で示した方向は、重力Ｇの方向を示しており、基準画素Ｐ11を起点とした画素列の延在方向はＹ軸（−）方向となっている。
つまり、図１（ａ）において、表示パネル７０は、画素行の延在方向が水平方向で、画素列の延在方向が垂直方向となるような姿勢で配置されている。なお、この表示姿勢のことを第１表示姿勢としての縦表示という。
なお、図１（ａ）においては、Ｘ軸方向が水平方向となり、Ｙ軸方向が垂直方向となっているが、図１を含む各図における座標軸は、表示装置１００の構成の基準となる座標軸であるため、座標軸と水平／垂直方向とは表示姿勢によって異なることになる。
また、表示パネル７０には、直立した人物の２次元画像ｊが表示されている。画像ｊの人物は、頭部を上に向けて略正対した状態で表示されている。なお、ここでの上下とは、天地の方向を指している。
また、表示装置１００は、表示パネル７０の姿勢を検知するための姿勢センサＳ１を備えており、姿勢センサＳ１は、表示パネル７０の上部に設けられている。
【００２０】
図１（ｂ）は、縦表示となっていた表示パネル７０を、紙面に向かって右方向に９０°回転させた、換言すれば、時計周りに９０°回転させた表示姿勢を示している。
図１（ｂ）において、基準画素Ｐ11の位置は、図面に向って表示パネル７０の右上となり、画素行の延在方向（Ｘ軸方向）が垂直方向となっている。また、この表示姿勢のことを第２表示姿勢としての横表示という。
図１（ｂ）に示すように、表示パネル７０を横表示にした場合であっても、画像ｊは、頭部を上に向けて略正対した状態で表示されている。これが、表示装置１００特徴の一つであり、内蔵した姿勢センサＳ１などの働きにより、表示パネル７０の姿勢（縦横）が変化しても常に画像の上方が表示パネル７０の上方となるように、表示駆動がなされている。
つまり、表示装置１００によれば、表示パネル７０の姿勢（縦横）が変化した場合であっても、常に正対した画像を表示することができる。
【００２１】
また、上記説明においては、説明を簡略化するために２次元画像（２次元表示）を用いて説明したが、表示装置１００によれば、縦表示および横表示のいずれの状態であっても、指向性表示（立体表示）を行うことができる。これも、表示装置１００特徴の一つである。なお、縦横表示における指向性表示の詳細については後述する。
【００２２】
「表示装置の基本構成」
図２は、表示装置の概略構成を示す斜視図である。
ここでは、縦横姿勢のそれぞれにおいて２次元表示と、指向性表示とを実現させる表示装置１００の基本構成と表示原理について説明する。なお、この基本構成と表示原理に基づく、具体的な表示装置の構成については後述する。
表示装置１００は、バックライト（ＢＬ）６０、表示パネル７０、視差バリア部８０などから構成されている。
面発光装置としてのバックライト６０は、導光板６１、光源６２などから構成されている。導光板６１は、透明な板状部材であり、アクリルや、ポリカーボネートなどの透明樹脂、またはガラスなどから構成されている。
【００２３】
光源６２は、例えば、ＬＥＤ（Light Emitting Diode）や冷陰極管などが採用され、図２において導光板６１の一端面に対向して設けられている。なお、当該図面において光源６２は、棒状に描かれているが、複数のＬＥＤを一端面に沿って配置する構成であっても良い。また、光源６２は、導光板６１の一端面に沿って光を出射することができる構成であれば良く、例えば、無機または有機ＥＬ（Electro Luminescence）素子を光源として用いても良い。
バックライト６０は、光源６２から入射した略白色光を、導光板６１の中で反射を繰り返しながら、当該導光板の表示パネル７０と向い合う光出射面から出射する。
なお、導光板６１の光出射面側には拡散板を設け、また、底面側には反射板を設けても良い。これにより、より光の利用効率を高めるとともに、より均一な光分布の照明光を出射することができる。
【００２４】
表示パネル７０は、複数の画素（図３）を備えたアクティブマトリックス型の透過式のカラー液晶パネルである。なお、表示パネル７０の表裏面には、それぞれ偏光板が設けられているが、図２では省略している。
また、表示パネル７０のＸ軸（＋）側の端部には、姿勢センサＳ１が設けられている。
視差バリア部８０は、位相差板、バリア液晶パネル（いずれも図示省略）などから構成された可変視差バリアであり、縦表示、および横表示の姿勢に応じて、それぞれ異なる視差バリアを構成する部位である。なお、視差バリアの詳細については後述する。
【００２５】
図３は、表示パネルの画素レイアウトを示す平面図である。
図３における画素配置は、表示原理の説明を容易にするために、簡略化したレイアウトとしている。
図３は、図２において、縦表示の表示パネル７０をＺ軸（−）方向から正対して見たときの平面図であり、表示領域を構成する複数の画素Ｐ11〜Ｐ115がマトリックス状に配置されている。
基準画素Ｐ11は、図３の紙面に向かって最上段における最も左側に位置している。当該画素からＸ軸（＋）方向には、画素Ｐ11〜Ｐ115までの画素行（以降、「画素行Ｐ11」ともいう）が形成されている。また、画素Ｐ11は赤色の画素Ｒ、画素Ｐ12は緑色の画素Ｇ、画素Ｐ13は青色の画素Ｂというように、画素行において３つの画素ごとにＲＧＢの色画素が繰り返し配置されている。なお、画素の色調は、３つの異なる色調であれば良く、例えば、イエロー、シアン、マゼンタであっても良い。
【００２６】
また、画素Ｐ11からＹ軸（−）方向には、画素Ｐ11〜Ｐ51までの画素列（以降、「画素列Ｐ11」ともいう）が形成されている。同様に、各画素Ｐ12〜Ｐ115においても、Ｙ軸（−）方向に、それぞれの画素列が形成されている。
各画素列Ｐ11〜Ｐ115の色調は、最上段の画素Ｐ11行における対応する画素の色調と同一になっている。
ここで、各画素Ｐ11〜Ｐ115の幅（Ｘ軸方向）は、高さ（Ｙ軸方向）の約１／３に設定されており、隣り合うＲＧＢ色の３つの画素により略正方形をなした１つのカラー画素が形成される。
詳しくは、例えば、画素行Ｐ11においては、まず、画素Ｐ11〜Ｐ13からカラー画素Ｃ11が形成される。同様に、画素Ｐ14〜Ｐ16からカラー画素Ｃ12が形成され、以下同様に、カラー画素Ｃ13〜Ｃ15が形成される。
また、画素行Ｐ21〜Ｐ51においても同様に、カラー画素Ｃ21〜Ｃ25、カラー画素Ｃ31〜Ｃ35、カラー画素Ｃ41〜Ｃ45、カラー画素Ｃ51〜Ｃ55が、それぞれ形成される。
つまり、表示パネル７０の表示領域は、５行５列にレイアウトされたカラー画素Ｃ11〜Ｃ55から構成されている。
また、カラー表示を行う表示パネル７０の画素単位はカラー画素が基準となるが、本実施形態においては、後述する視差画像データの合成において、ＲＧＢの画素単位で合成を行う都合上、画素Ｐ11〜Ｐ115を「画素」、３つのサブ画素からなる画素Ｃ11〜Ｃ55を「カラー画素」と称して説明する。なお、画素のことを「サブ画素」、カラー画素のことを「画素」と言い換えても良い。
【００２７】
「指向性表示の表示原理」
図４は、指向性表示における視差バリア態様を示す図である。図５は、縦表示における表示態様を示す図である。図６は、横表示における表示態様を示す図である。
続いて、縦表示および横表示それぞれにおける指向性表示の表示態様および原理について説明する。
図４には、表示パネル７０の姿勢が縦表示の場合における視差バリア部８０の視差バリア態様を示す縦視差バリア８０ｔと、横表示の場合における視差バリア部８０の視差バリア態様を示す横視差バリア８０ｙとが示されている。
なお、説明の都合上、図４に向って、縦視差バリア８０ｔは表示パネル７０の上方に、横視差バリア８０ｙは表示パネル７０の左側に、それぞれ離れた状態で描かれているが、実際は平面的に重なっている。
【００２８】
「縦表示における指向性表示」
まず、姿勢センサＳ１（図２）による姿勢検出の結果が縦表示であった場合、視差バリア部８０は、図４に示すような縦視差バリア８０ｔの態様となる。
詳しくは、ハッチングが掛かっている部分は遮光部となり、白抜きの部分は表示パネルを透過した光を透過する透過部となる。例えば、画素行Ｐ11と重なるバリア行では、遮光部と透過部とがＸ軸方向に交互に形成されている。
また、画素行Ｐ21と重なるバリア行でも、透過部と遮光部とがＸ軸方向に交互に形成されている。ここで、当該バリア行の遮光部および透過部は、上段のバリア行の遮光部および透過部から、約１画素分Ｘ軸方向にシフトした配置となっている。
また、図示していないが、画素行Ｐ31と重なるバリア行でも、遮光部と透過部とがＸ軸方向に交互に形成され、かつ、画素列方向で、画素行Ｐ21のバリア行から約１画素分Ｘ軸方向にシフトした配置となっている。
つまり、縦表示における縦視差バリア８０ｔは、遮光部（透過部）がチェック状の市松模様となるような態様となる。
【００２９】
図５の上段には、図１（ａ）において、縦表示における表示装置１００をＹ軸（＋）方向から観察したときの、表示装置１００の断面、および観察者の視点が示されている。
ここで、表示パネル７０には、各画素行において、左目用の画像データ「左」と、右目用の画像データ「右」とがＸ軸方向に交互に供給されている。また、左右の画像データは、図４で説明したバリア行と同様に、Ｙ軸方向において１画素分ずつＸ軸方向にシフトした配置となっている。このような左右の画像が合成された画像データは、縦表示用の視差画像データによって規定されているが、視差画像データの詳細については、後述する。
そして、このように左右の画像データが表示されている表示パネル７０を、図４で説明した縦視差バリア８０ｔを介して観察すると、左目Ｌｖには、実線で示すように、左画素を透過し、画像データ「左」の階調に応じた明るさとなった表示光が、縦視差バリア８０ｔの透過部を介して観察される。換言すれば、右画素を透過し、画像データ「右」の階調に応じた明るさとなった表示光は、破線で示すように、縦視差バリア８０ｔの遮光部によって遮断されるため、左目Ｌｖには入射しない。
また、右目Ｒｖには、実線で示すように、右画素を透過し、画像データ「右」の階調に応じた明るさとなった表示光が、縦視差バリア８０ｔの透過部を介して観察される。換言すれば、左画素を透過し、画像データ「左」の階調に応じた明るさとなった表示光は、破線で示すように、縦視差バリア８０ｔの遮光部によって遮断されるため、右目Ｒｖには入射しない。
つまり、左目Ｌｖには左画素を透過した画像データ「左」によって表される左画像の表示光が入射し、右目Ｒｖには右画素を透過した画像データ「右」によって表される右画像の表示光が入射することになり、縦表示において指向性表示が実現される。
【００３０】
図５の下段左側には、左目Ｌｖにて視認される左画像の表示態様が示されている。具体的には、画素行Ｐ11では、Ｐ12,Ｐ14,Ｐ16,Ｐ18…というように偶数画素が観察されている。また、画素行Ｐ21では、Ｐ21,Ｐ23,Ｐ25,Ｐ27…というように奇数画素が観察されている。以下、図示は省略しているが、画素行ごとに偶数画素と奇数画素とが交互に入れ替って観察される。
つまり、左目Ｌｖには、市松模様をなした左画像が観察されることになる。
図５の下段右側には、右目Ｒｖにて視認される表示態様が示されている。具体的には、画素行Ｐ11では、Ｐ11,Ｐ13,Ｐ15,Ｐ17…というように奇数画素が観察されている。また、画素行Ｐ21では、Ｐ22,Ｐ24,Ｐ26,Ｐ28…というように偶数画素が観察されている。以下、図示は省略しているが、画素行ごとに奇数画素と偶数画素とが交互に入れ替って観察される。
つまり、右目Ｒｖには、市松模様をなした右画像が観察されることになる。
【００３１】
ここで、「右」画像における１つのカラー画素は、画素行Ｐ11のＲ色のＰ11、およびＢ色のＰ13と、画素行Ｐ21のＧ色のＰ22とによる画素行を跨いだ三角形のカラー画素となる。また、同様に、画素行Ｐ11と画素行Ｐ21とを跨いで、ＲＧＢ色のＰ24,Ｐ15,Ｐ26による三角形のカラー画素が形成される。以下、他の画素行においても同様に２つの画素行を跨いで三角形のカラー画素が形成される。
このように、縦表示の「右」画像においては、２つの画素行を跨ぐものの、Ｘ軸方向に隣り合う３つの画素からカラー画素が形成されることになる。
また、「左」画像についても同様に、２つの画素行を跨いで三角形のカラー画素が形成される。詳しくは、画素行Ｐ11と画素行Ｐ21とを跨いで、画素Ｐ21,Ｐ12,Ｐ23や、Ｐ14,Ｐ25,Ｐ16などの三角形のカラー画素が形成される。
つまり、縦表示の「左」画像、および「右」画像のそれぞれにおいて、２つの画素行を跨いで、Ｘ軸方向に隣り合う３つの画素からカラー画素が形成される。
【００３２】
「横表示における指向性表示」
図４に戻る。
次に、姿勢センサＳ１（図２）による姿勢検出の結果が横表示であった場合、視差バリア部８０は、図４に示すような横視差バリア８０ｙの態様となる。
詳しくは、ハッチングが掛かっている部分は遮光部となり、白抜きの部分は表示パネルを透過した光を透過する透過部となる。なお、横表示の場合、図４に示すように、画素列Ｐ11が上方となり、Ｙ軸方向が水平方向となるため、重力方向を基準にすると画素行と画素列とが入れ替るが、説明を統一するため、縦表示における画素行および画素列を用いて以下説明する。
例えば、画素行Ｐ11に一部分が重なる遮光部は、棒状をなして画素行に沿ってＸ軸方向に延在している。また、当該遮光部のＹ軸（−）方向には、棒状をなした透過部と、棒状の遮光部とが交互に配置されている。
つまり、横表示における横視差バリア８０ｙは、遮光部（透過部）が画素列の延在方向（Ｙ軸方向）にストライプ状に形成された態様となっている。
【００３３】
図６の上段には、図１（ｂ）において、横表示における表示装置１００をＸ軸（−）方向から観察したときの、表示装置１００の断面、および観察者の視点が示されている。
ここで、表示パネル７０には、左目用の画像データ「左」と、右目用の画像データ「右」とがＹ軸方向に画素列単位で交互に供給されている。なお、このような左右の画像が合成された画像データは、横表示用の視差画像データによって規定されているが、視差画像データの詳細については、後述する。
そして、このように左右の画像データが表示されている表示パネル７０を、図４で説明した横視差バリア８０ｙを介して観察すると、左目Ｌｖには、実線で示すように、左画素を透過し、画像データ「左」の階調に応じた明るさとなった表示光が、横視差バリア８０ｙの透過部を介して観察される。換言すれば、右画素を透過し、画像データ「右」の階調に応じた明るさとなった表示光は、破線で示すように、横視差バリア８０ｙの遮光部によって遮断されるため、左目Ｌｖには入射しない。また、右目Ｒｖには、実線で示すように、右画素を透過し、画像データ「右」の階調に応じた明るさとなった表示光が、横視差バリア８０ｙの透過部を介して観察される。換言すれば、左画素を透過し、画像データ「左」の階調に応じた明るさとなった表示光は、破線で示すように、横視差バリア８０ｙの遮光部によって遮断されるため、右目Ｒｖには入射しない。
つまり、左目Ｌｖには左画素を透過した画像データ「左」によって表される左画像の表示光が入射し、右目Ｒｖには右画素を透過した画像データ「右」によって表される右画像の表示光が入射することになり、横表示において指向性表示が実現される。
【００３４】
図６の下段左側には、左目Ｌｖにて視認される表示態様が示されている。具体的には、画素行Ｐ21,Ｐ41…というように偶数番目の画素行が観察される。
つまり、左目Ｌｖには、ストライプ状の左画像が観察されることになる。
図６の下段右側には、右目Ｒｖにて視認される表示態様が示されている。具体的には、画素行Ｐ11,Ｐ31…というように奇数番目の画素行が観察される。
つまり、右目Ｒｖには、ストライプ状の右画像が観察されることになる。
ここで、「右」画像における１つのカラー画素は、図３で説明したカラー画素と同じである。詳しくは、画素行Ｐ11においては、画素Ｐ11〜Ｐ13からなるカラー画素Ｃ11、画素Ｐ14〜Ｐ16からなるカラー画素Ｃ12、以下同様に、カラー画素Ｃ13〜Ｃ15が形成される。また、他の奇数番目の画素行においても同様である。
また、「左」画像についても同様に、図３のカラー画素と同様であり、画素行において連続する３つの画素ごとに１つのカラー画素が形成される。
【００３５】
「縦表示および横表示における２Ｄ画像表示」
図４に戻る。
ここまで、縦表示および横表示それぞれにおける指向性表示の原理について説明したが、表示装置１００では、各表示態様において、それぞれ２次元画像（２Ｄ）表示を行うことができる。
詳しくは、２Ｄ表示を行う場合、視差バリア部８０は、縦表示および横表示それぞれにおいて、表示パネル７０から出射する表示光を遮光することなく出射する。つまり、遮光部（バリア）を形成しないように視差バリア部８０を制御することにより、表示パネル７０の画像を略そのまま観察することができる。なお、このような視差バリア部８０の機能については、後述する。
【００３６】
「視差画像データ（縦）の合成方法」
図７は、縦表示における視差画像データの合成方法の説明図である。
ここでは、縦表示における視差画像データの合成方法について説明する。
視差画像データは、外部機器（図示せず）からサイドバイサイドなどのデータ送信方法で送られてくる左画像データと、右画像データとを表示装置１００内で合成することにより生成される。左画像データ、および右画像データは、それぞれ異なる視点に設置されたカメラで撮影された画像データであり、例えば、裸眼による立体画像を前提としたものである場合、左目、および右目の視点に対応した位置に設置されたカメラにより撮影されたデータである。
なお、左目および右目の視点が第１の視点および第２の視点に対応しているが、左右が入れ代っていても良い。また、左右の視点に限定するものではなく、異なる視点からの全く異なる画像データであっても良い。
図７の上段左側には左画像データのデータ配列が示され、上段右側には右画像データのデータ配列が示されている。なお、左画像データ、および右画像データは、当該２つの画像データを格納可能なメモリ容量を持った１枚のフレームメモリ内に区分けされて格納されているものとして説明する。
【００３７】
まず、左画像データ、および右画像データのデータ配列は、図３で説明した表示パネル７０の縦表示におけるデータ配列と同一である。換言すれば、左画像データ、および右画像データは、図３のカラー画素Ｃ11〜Ｃ55に書き込み可能な配置となっている。
また、各画像データは、画素ごとの階調を規定したデジタルデータが配列されたものであり、各画素のデータ自体に色情報が含まれている訳ではないが、説明を容易にするために、図７の左右の画像データにおいても、ＲＧＢを附している。
まず、左画像データは、５行５列に配列されたカラー画素データであるＣ画素データＣＬ11〜ＣＬ55から構成されている。また、各Ｃ画素データＣＬは、隣り合う３つの画素データから構成されている。
例えば、Ｃ画素データＣＬ11は、画素Ｐ11〜Ｐ13のそれぞれに対応する３つの左画像データ「左」から構成されている。なお、画像データ「左」は、当該画素の階調を示すデジタルデータを示しており、その値は画素ごとに異なる場合が多いが、以下の説明においては、左右の画像データのいずれかであるかが解れば良いので、階調に拘らず画像データ「左」「右」と表現する。
また、同様に右画像データも、５行５列に配列されたＣ画素データＣＲ11〜ＣＲ55から構成されている。また、各Ｃ画素データＣＲは、隣り合う３つの画素データから構成されている。
【００３８】
図７の下段には、左画像データと右画像データとから合成された縦表示用の視差画像データ態様が示されている。
縦表示用の視差画像データは、５行５列に配列されたＣ画素データＣＭ11〜ＣＭ55から構成されている。また、Ｃ画素データＣＭ11〜ＣＭ55の配置も、図３のカラー画素Ｃ11〜Ｃ55の配置に対応している。
なお、縦表示の場合、図５で説明した通り、左画像、および右画像は、それぞれ２つの画素行を跨いで三角形に配置された３つの画素を１つのカラー画素として表示を行っているため、視差画像データのＣ画素データＣＭとは画素配置が異なるが、視差画像データの構成を説明する都合上、図７ではＣ画素データＣＭという括りを用いている。
【００３９】
Ｃ画素データＣＭ11は、右画像データのＣ画素データＣＲ11をベースとして、左画像データの画素データが加えられている。
詳しくは、Ｃ画素データＣＭ11の両サイドの画素に位置するデータ領域には、Ｃ画素データＣＲ11の両サイドの画素に位置する画像データ「右」が入っている。
そして、Ｃ画素データＣＭ11の真ん中の画素に位置するデータ領域には、Ｃ画素データＣＬ11の真ん中に位置する画像データ「左」が入っている。
つまり、Ｃ画素データＣＭ11は、両サイドの画素の画像データが「右」で、中央の画素の画像データが「左」という配置で合成されている。換言すれば、Ｃ画素データＣＭ11には、図３のカラー画素Ｃ11における画素Ｐ11〜Ｐ13に相当するデータ領域に、画像データ「右」「左」「右」の順番の画素データが格納されている。
【００４０】
Ｃ画素データＣＭ11の隣のＣＭ12は、左画像データのＣ画素データＣＬ12をベースとして、右画像データの画素データも加えられている。
詳しくは、Ｃ画素データＣＭ12の両サイドの画素に位置するデータ領域には、Ｃ画素データＣＬ12の両サイドの画素に位置する画像データ「左」が入っている。
そして、Ｃ画素データＣＭ12の真ん中の画素に位置するデータ領域には、Ｃ画素データＣＲ12の真ん中に位置する画素の画像データ「右」が入っている。
つまり、Ｃ画素データＣＭ12は、両サイドの画素の画像データが「左」で、中央の画素の画像データが「右」という配置で合成されている。換言すれば、Ｃ画素データＣＭ12には、図３のカラー画素Ｃ12における画素Ｐ14〜Ｐ16に相当するデータ領域に、画像データ「左」「右」「左」の順番の画素データが格納されている。
以下同様に、画素行Ｐ11における奇数のＣ画素データＣＭ13,ＣＭ15では、Ｘ軸方向に画像データ「右」「左」「右」の順番で合成され、偶数のＣ画素データＣＭ14では、Ｘ軸方向に画像データ「左」「右」「左」の順番で合成される。
【００４１】
また、画素行Ｐ21では、奇数のＣ画素データＣＭ21,ＣＭ23,ＣＭ25が画像データ「左」「右」「左」の順番で合成され、偶数のＣ画素データＣＭ22,ＣＭ24が画像データ「右」「左」「右」の順番で合成される。
また、画素行Ｐ31では、画素行Ｐ11と同様な配列となり、奇数のＣ画素データＣＭ31,ＣＭ33,ＣＭ35が画像データ「右」「左」「右」の順番で合成され、偶数のＣ画素データＣＭ32,ＣＭ34が画像データ「左」「右」「左」の順番で合成される。
以下同様に、画素行Ｐ41では画素行Ｐ21と同様な配列となり、画素行Ｐ51では画素行Ｐ11と同様な配列となる。
つまり、奇数番目の画素行では、奇数のＣ画素データＣＭが画像データ「右」「左」「右」の順番で合成され、偶数のＣ画素データＣＭが画像データ「左」「右」「左」の順番で合成される。また、偶数番目の画素行では、奇数のＣ画素データＣＭが画像データ「左」「右」「左」の順番で合成され、偶数のＣ画素データＣＭが画像データ「右」「左」「右」の順番で合成される。
【００４２】
図５の縦表示の態様において、このようにして合成された縦表示用の視差画像データを用いて、表示を行うと以下のように観察されることになる。
図５の下段左側の左目Ｌｖから観察される左画像において、画素Ｐ12,Ｐ21,Ｐ23からなるカラー画素は、図７のＣ画素データＣＭ11の中央の画素データと、Ｃ画素データＣＭ21の両サイドの画素データとに対応している。
つまり、画素Ｐ12,Ｐ21,Ｐ23からなるカラー画素には、図７上段左側の左画像データにおけるＣ画素データＣＬ11の中央の画素データと、Ｃ画素データＣＬ21の両サイドの画素データとが書き込まれる。
また、図５の左画像において、画素Ｐ14,Ｐ16,Ｐ25からなるカラー画素は、図７のＣ画素データＣＭ12の両サイドの画素データと、Ｃ画素データＣＭ22の中央の画素データとに対応している。
つまり、画素Ｐ14,Ｐ16,Ｐ25からなるカラー画素には、図７の左画像データにおけるＣ画素データＣＬ12の両サイドの画素データと、Ｃ画素データＣＬ22の中央の画素データとが書き込まれる。
【００４３】
また、画素行Ｐ31以降の他の画素においても同様に、左画像において２つの画素行を跨いで構成されるカラー画素には、図７の左画像データから抜粋された画素データが書き込まれる。
つまり、図５の左目Ｌｖから観察される左画像は、当該図面の遮光されたチェック模様の画素をマスクとして、図７の左画像データに重ねたときに、当該マスクから露出した市松模様の画素に対応した画像データによって表される画像となる。
【００４４】
次に、図５の下段右側の右目Ｒｖから観察される右画像について説明する。
図５の右目Ｒｖから観察される右画像において、画素Ｐ11,Ｐ13,Ｐ22からなるカラー画素は、図７のＣ画素データＣＭ11の両サイドの画素データと、Ｃ画素データＣＭ21の中央の画素データとに対応している。
つまり、画素Ｐ11,Ｐ13,Ｐ22からなるカラー画素には、図７上段右側の右画像データにおけるＣ画素データＣＲ11の両サイドの画素データと、Ｃ画素データＣＲ21の中央の画素データとが書き込まれる。
また、図５の右画像において、画素Ｐ15,Ｐ24,Ｐ26からなるカラー画素は、図７のＣ画素データＣＭ12の中央の画素データと、Ｃ画素データＣＭ22の両サイドの画素データとに対応している。
つまり、画素Ｐ15,Ｐ24,Ｐ26からなるカラー画素には、図７の右画像データにおけるＣ画素データＣＲ12の中央の画素データと、Ｃ画素データＣＲ22の両サイドの画素データとが書き込まれる。
【００４５】
また、画素行Ｐ31以降の他の画素においても同様に、右画像において２つの画素行を跨いで構成されるカラー画素には、図７の右画像データから抜粋された画素データが書き込まれる。
つまり、図５の右目Ｒｖから観察される右画像は、当該図面の遮光されたチェック模様の画素をマスクとして、図７の右画像データに重ねたときに、当該マスクから露出した市松模様の画素に対応した画像データによって表される画像となる。
【００４６】
「視差画像データ（横）の合成方法」
図８は、横表示における視差画像データの合成方法の説明図である。
続いて、横表示における視差画像データの合成方法について説明する。
横表示においても、図８の上段に示すように、縦表示の場合と同一の左画像データ、および右画像データが用いられる。
図８の下段には、左画像データと右画像データとから合成された横表示用の視差画像データ態様が示されている。
【００４７】
横表示用の視差画像データは、５行５列に配列されたカラー画素から構成されている。
まず、最上段の画素行Ｐ11では、Ｃ画素データＣＲ15からＸ軸（＋）方向に、Ｃ画素データＣＲ25,ＣＲ35,ＣＲ45,ＣＲ55の順番で、図８の右画像データのＣ画素データが配置されている。
画素行Ｐ21では、Ｃ画素データＣＬ14からＸ軸（＋）方向に、Ｃ画素データＣＬ24,ＣＬ34,ＣＬ44,ＣＬ54の順番で、図８の左画像データのＣ画素データが配置されている。
画素行Ｐ31では、Ｃ画素データＣＲ13からＸ軸（＋）方向に、Ｃ画素データＣＲ23,ＣＲ33,ＣＲ43,ＣＲ53の順番で、右画像データのＣ画素データが配置されている。
画素行Ｐ41では、Ｃ画素データＣＬ12からＸ軸（＋）方向に、Ｃ画素データＣＬ22,ＣＬ32,ＣＬ42,ＣＬ52の順番で、左画像データのＣ画素データが配置されている。
そして、最下段の画素行Ｐ51では、Ｃ画素データＣＲ11からＸ軸（＋）方向に、Ｃ画素データＣＲ21,ＣＲ31,ＣＲ41,ＣＲ51の順番で、右画像データのＣ画素データが配置されている。
【００４８】
つまり、画素行ごとに、右画像データのＣ画素データと、左画像データのＣ画素データとが交互に配置されている。
また、横表示用の視差画像データの画素配置は、図８の右画像データおよび左画像データを、それぞれ反時計周りに９０°回転させたときのレイアウトとなっている。
【００４９】
図６の横表示の態様において、このようにして合成された横表示用の視差画像データを用いて、表示を行うと以下のように観察されることになる。
図６の下段左側の左目Ｌｖから観察される左画像において、画素Ｐ21,Ｐ22,Ｐ23からなるカラー画素Ｃ21には、図８の左画像データのＣ画素データＣＬ14が書き込まれている。なお、図６の下段左側の左画像と、図８の視差画像データとを比較する際には、図８を時計周りに９０°回転させて、画素列Ｐ11を上方とした状態で比較する必要がある。
以下同様に、カラー画素Ｃ22,Ｃ23,Ｃ24,Ｃ25には左画像データのＣ画素データＣＬ24,ＣＬ34,ＣＬ44,ＣＬ54が書き込まれている。
つまり、左画像の画素行Ｐ21には、左画像データのＣ画素データＣＬ14からＹ軸（−）方向に延在するＣ画素データ列ＣＬ14の画素データによる画像が表示される。
また、同様に、左画像の画素行Ｐ41には、左画像データのＣ画素データＣＬ12からＹ軸（−）方向に延在するＣ画素データ列ＣＬ12の画素データによる画像が表示される。
つまり、図６の左目Ｌｖから観察される左画像は、左画像データの偶数番目のＣ画素データ列ＣＬによって表されるストライプ状の画像となる。
【００５０】
また、同様に、図６の下段右側の右目Ｒｖから観察される右画像は、右画像データの奇数番目のＣ画素データ列ＣＲによって表されるストライプ状の画像となる。
詳しくは、左画像の画素行Ｐ11には右画像データのＣ画素データ列ＣＲ15の画素データによる画像が表示され、画素行Ｐ31には右画像データのＣ画素データ列ＣＲ13の画素データによる画像が表示される。
【００５１】
「２Ｄ画像表示における画像データ」
図９は、２Ｄ画像データを示す図である。
前述したように、表示装置１００は、視差バリア部８０を２Ｄ表示モードに制御することにより、表示パネル７０の画像を略そのまま観察することができる。換言すれば、縦表示および横表示において２Ｄ表示を行うことができる。
ここでは、縦表示および横表示における２Ｄ画像データについて説明する。
まず、縦表示の場合は、図９の上段に示す左画像データをそのまま用いる。つまり、図３のカラー画素Ｃ11〜Ｃ55に、左画像データのＣ画素データＣＬ11〜ＣＬ55をこの順番通りに書き込めば良い。
【００５２】
図９の下段は、横表示の２Ｄ画像データを示している。
画素行Ｐ11には、左画像データのＣ画素データ列ＣＬ15の画素データが配置されている。画素行Ｐ21には、左画像データのＣ画素データ列ＣＬ14の画素データが配置されている。以下同様に、画素行Ｐ31〜Ｐ51には、左画像データのＣ画素データ列ＣＬ13〜ＣＬ11の画素データが配置されている。
つまり、横表示の２Ｄ画像データは、左画像データをＣ画素データ単位で、反時計周りに−９０°回転させた配列となっている。
【００５３】
また、上述したように、左画像データを並べ替えて横表示の２Ｄ画像データを合成する方法の他に、左画像データからの画素データの読み出し順を変えることによっても、横表示における２Ｄ表示を行うことができる。
詳しくは、左画像データのＣ画素データＣＬ15〜ＣＬ55、次いでＣ画素データＣＬ14〜ＣＬ54という順番、つまり、Ｃ画素データ列ＣＬ15〜ＣＬ11の順番で画素データを読み出し、読み出した順番通りに、表示パネル７０の画素行Ｐ11〜Ｐ51に書き込む。
この方法によっても、図９下段の横表示の２Ｄ画像データと同様に横表示における２Ｄ表示を行うことができる。
これは、表示姿勢を縦表示から横表示に切換えた場合でも、表示パネル７０への画像データの書き込み方向（走査方向）は変わらないため、当該書き込み方向で書き込んだときに、横表示において画像が正対する方向から画像データを読み出すことにより、横表示における２Ｄ表示を実現するものである。
【００５４】
ここまで、縦横における視差画像データ、および２Ｄ画像表示データの合成方法について、５行５列（５×５）のカラー画素配置（図３）を用いて、その原理について説明したが、この解像度に限定するものではない。
詳しくは、行列における行方向、および列方向の画素数が同一であれば当該合成方法を適用することが可能であり、例えば、５００×５００や、１０００×１０００のカラー画素配置であっても良い。
【００５５】
「具体的な表示装置の構成」
図１０は、表示装置の概略構成を示す斜視図である。
ここでは、前述の表示装置１００の原理に基づく特徴点を実現するための表示装置１０１の構成について説明する。
なお、表示装置１００の構成と同一の構成部位については、同一の番号を附し、重複する説明は省略する。
表示装置１０１は、バックライト（ＢＬ）６０、表示パネル７０、視差バリア部８０などから構成されている。
【００５６】
ＢＬ６０の構成は、図２で説明した通りである。
表示パネル７０は、液晶パネル（ＬＣＤ）３、偏光板４、偏光板５などから構成されている。詳しくは、ＢＬ６０から出射される照明光の進行方向（Ｚ軸（−）方向）に沿って、入射側の偏光板４、液晶パネル３、出射側の偏光板５の順番で配置されている。また、液晶パネル３の上面には、姿勢センサＳ１が取り付けられている。なお、液晶パネル３は、図２示すように、対向基板と素子基板とが重なった構成を有し、対向基板から素子基板が張出した張出し領域１１や、駆動用ＩＣ１２を備えているが、図１０では省略している。また、より詳しい構成は、実施形態２（図２６）で説明している。
視差バリア部８０は、位相差板６、バリア液晶パネル（ＬＣＤ）７、偏光板８などから構成されている。また、照明光の進行方向に沿って、この順番で配置されている。
【００５７】
図１１は、表示装置の構成部位を示すブロック図である。
表示装置１０１は、前述したＢＬ６０、表示パネル７０、視差バリア部８０に加えて、これらの部位を制御するためのＢＬ駆動部６３、画像信号処理部７１、制御部７３、姿勢検出部７７、バリアＬＣＤ駆動部８１などを備えている。
これらの制御部位は、表示パネル７０の張出し領域１１（図２）や、駆動用ＩＣ１２などに内蔵されるか、または、張出し領域１１に接続されるフレキシブル基板などに実装されている。
ＢＬ駆動部６３は、ＢＬ６０の光源６２（図２）の点灯および消灯を制御する駆動回路であり、制御部７３からの制御信号に従って当該制御を行う。
【００５８】
画像信号処理部７１は、画像プロセッサであり、外部の画像信号供給装置９９から入力された画像データを液晶パネル３にて表示するのに適切な画像信号に変換する。画像信号処理部７１には、ＡＤコンバータ（図示せず）が内蔵されており、アナログＲＧＢ信号などのアナログ画像信号が入力された場合には、デジタル画像信号に変換する。
また、画像信号処理部７１には、フレームメモリ７２が附属している。フレームメモリ７２のデータ容量は、少なくとも左画像データ、および右画像データを格納可能な容量があることが好ましい。また、合成された視差画像データも格納できる容量があればより好ましい。
また、画像信号処理部７１は、制御部７３からの制御信号に従い、フレームメモリ７２を活用して、縦表示および横表示に対応した２Ｄ画像データ、視差画像データを生成する。また、データの補完、または間引き、切り出しなどを含むスケーリング処理を司り、液晶パネル３の解像度に合わせた画像データを出力する。
【００５９】
制御部７３は、ＣＰＵ（Central Processing Unit）であり、各部の動作を制御する。また、制御部７３には、記憶部７５と、操作部７６とが附属している。
記憶部７５は、例えば、フラッシュメモリなどの不揮発性のメモリにより構成されている。記憶部７５には、姿勢センサＳ１からの検知データに基づいて、液晶パネル３に供給する画像信号の縦横変換や、視差画像データの生成を行うための順序と内容を規定したプログラムを含み、表示装置１０１の動作を制御するための様々なプログラムおよび付随するデータが記憶されている。
当該プログラムには、バリアＬＣＤ７の制御プログラムも含まれており、縦表示の場合には視差バリア部８０を図４の縦視差バリア８０ｔとするための、また、横表示の場合には視差バリア部８０を図４の横視差バリア８０ｙとするための制御信号を、バリアＬＣＤ駆動部８１に送信する。
操作部７６は、複数の操作ボタン（図示せず）を含んで構成されており、当該操作ボタンの操作によっても、縦表示／横表示、または２Ｄ画像表示／視差画像データを切換え可能に設けられている。
【００６０】
姿勢センサＳ１は、加速度センサであり、詳しくは３軸加速度センサを用いている。加速度センサの形式としては、ピエゾ抵抗型、静電容量型、熱検知型などの小型のＭＥＭＳ（Micro Electro Mechanical Systems）センサが好適である。なお、姿勢センサＳ１は、表示パネル７０の姿勢が検知できるセンサであれば良く、例えば、水銀スイッチや、水銀の代替部品を用いた当該スイッチの代替品を用いても良い。
姿勢検出部７７は、ＡＤコンバータを含んで構成されており、加速度センサからの検知データを符号化して制御部７３に送信する。
バリアＬＣＤ駆動部８１は、バリアＬＣＤ７の駆動回路であり、制御部７３からの制御信号に従って、バリアＬＣＤ７を駆動する。
【００６１】
「縦表示における視差表示態様と、視差バリア部の構成」
図１２は、縦表示の視差画像表示における光軸関係を示す図である。図１３は、位相差板の部分平面図である。図１４は、バリア液晶パネルの部分平面図である。
ここでは、縦表示における視差表示態様について、視差バリア部の構成、および各部の光軸関係を交えながら説明する。
まず、表示パネル７０の各部位の光軸関係について説明する。また、以下の説明における、各部位の偏光軸の角度はＸ軸（＋）方向を基準としている。
なお、図１２において、破線は、偏光板４、５、８、位相差板６、およびバリアＬＣＤ７の偏光軸の角度を示し、また、矢印は、透過光の偏光軸の角度を示している。
【００６２】
偏光板４は、約１３５°の偏光軸を有している。
液晶パネル３は、ＴＮ（Twisted Nematic）型で、ノーマリーホワイトモードの液晶パネルであり、ＯＦＦ状態で入射した光の偏光軸を約９０°変化させた状態で出射させ、また、ＯＮ状態で入射した光の偏光軸を略そのまま出射させる。
偏光板５は、約４５°の偏光軸を有している。
【００６３】
位相差板６は、入射した光にλ／２の位相差を付与する光学作用を有し、偏光軸の異なる２つの偏光領域６ａ，６ｂを備えている。
詳しくは、第１領域としての偏光領域６ａは約７５°の偏光軸を有しており、第２領域としての偏光領域６ｂは約１５°の偏光軸を有している。
偏光領域６ａ，６ｂの平面的な配置は、図１３に示されている。また、図１３の位相差板６の平面態様は、図４の縦視差バリア８０ｔの平面態様と対応している。
詳しくは、偏光領域６ａが縦視差バリア８０ｔの遮光部と対応しており、偏光領域６ｂが縦視差バリア８０ｔの透過部と対応している。
つまり、縦視差バリア８０ｔの遮光部（透過部）と同様に、位相差板６の偏光領域６ａ，６ｂも、それぞれがチェック状の市松模様をなして配置されている。
【００６４】
バリアＬＣＤ７は、２つの偏光領域７ａ，７ｂを備えている。
偏光領域７ａ，７ｂの平面的な配置は、図１４に示されている。また、図１４のバリアＬＣＤ７の平面態様は、図４の横視差バリア８０ｙの平面態様と対応している。
詳しくは、第３領域としての偏光領域７ａが横視差バリア８０ｙの遮光部と対応しており、第４領域としての偏光領域７ｂが横視差バリア８０ｙの透過部と対応している。
つまり、横視差バリア８０ｙの遮光部（透過部）と同様に、バリアＬＣＤ７の偏光領域７ａ，７ｂも、それぞれがストライプ状に配置されている。
また、バリアＬＣＤ７は、偏光領域７ａ，７ｂと重なる部分に透明電極７ａｄ，７ｂｄを備えており、透明電極７ａｄ，７ｂｄに駆動電圧を印加することにより、偏光領域７ａ，７ｂごとのＯＮ／ＯＦＦを切換え可能に設けられている。
詳しくは、偏光領域７ａ，７ｂは、ＯＦＦ状態で共に約１２０°の偏光軸を有している。また、偏光領域７ａ，７ｂは、ＯＮ状態で共に所定の偏光軸の光を略透過する。なお、１２０°とは異なる角度となる所定の偏光軸については後述する。
【００６５】
続いて、これらの光軸関係を有する表示装置１０１における縦表示の指向性表示態様について図１２を用いて説明する。
ＢＬ６０から出射された無偏光の照明光のうち、約１３５°の偏光軸を有する光のみが偏光板４を透過して液晶パネル３に出射される。
ＯＦＦ状態の液晶パネル３に入射した光は、偏光軸が９０°変化した状態で、約４５°の偏光軸を有する光として偏光板５に出射される。
偏光板５に入射された約４５°の偏光軸を有する光は、略そのままの状態で位相差板６に出射される。
【００６６】
位相差板６の偏光領域６ａに入射した光は、偏光領域６ａの約７５°の偏光軸に対して線対称の偏光軸に変化された状態で、約１０５°の偏光軸を有する光としてバリアＬＣＤ７に入射する。また、偏光領域６ｂに入射した光は、偏光領域６ｂの約１５°の偏光軸に対して線対称の偏光軸に変化された状態で、約１６５°の偏光軸を有する光としてバリアＬＣＤ７に入射する。
ここで、縦表示の場合、バリアＬＣＤ７の偏光領域７ａ，７ｂ共にＯＦＦ状態となるように制御部７３（図１１）によって制御されている。つまり、バリアＬＣＤ７は全面的にＯＦＦ状態となっている。
バリアＬＣＤ７に入射した偏光領域６ａからの約１０５°の偏光軸を有する光は、約１２０°の偏光軸に対して線対称の偏光軸に変化された状態で、約１３５°の偏光軸を有する光として偏光板８に出射される。
また、バリアＬＣＤ７に入射した偏光領域６ｂからの約１６５°の偏光軸を有する光は、約１２０°の偏光軸に対して線対称の偏光軸に変化された状態で、約７５°の偏光軸を有する光として偏光板８に出射される。
【００６７】
バリアＬＣＤ７から偏光板８に入射した約１３５°の偏光軸を有する光は、偏光板８により吸収される。また、バリアＬＣＤ７から偏光板８に入射した約７５°の偏光軸を有する光は、約４５°の偏光軸を有する光として偏光板８から出射される。
このようにして、位相差板６、バリアＬＣＤ７、および偏光板８の光学作用によって、図５に示した縦視差バリア８０ｔが形成される。
【００６８】
図１５は、縦表示における表示態様の断面図である。
図１５は、図５の上段の断面図に対応しており、表示装置１０１の縦表示における断面をより詳細に示したものである。
前述した通り、位相差板６、バリアＬＣＤ７、および偏光板８によって図５の縦視差バリア８０ｔが実現されている。
詳しくは、左目Ｌｖには、実線で示すように、左画素を透過し、画像データ「左」の階調に応じた明るさとなった表示光が、位相差板６の偏光領域６ｂを介して観察される。換言すれば、右画素を透過し、画像データ「右」の階調に応じた明るさとなった表示光は、破線で示すように、位相差板６の偏光領域６ｂを透過した後、偏光板８によって吸収されるため、左目Ｌｖには入射しない。
また、右目Ｒｖには、実線で示すように、右画素を透過し、画像データ「右」の階調に応じた明るさとなった表示光が、位相差板６の偏光領域６ｂを介して観察される。換言すれば、左画素を透過し、画像データ「左」の階調に応じた明るさとなった表示光は、破線で示すように、位相差板６の偏光領域６ｂを透過した後、偏光板８によって吸収されるため、右目Ｒｖには入射しない。
【００６９】
「横表示における視差表示態様」
図１６は、横表示の視差画像表示における光軸関係を示す図である。
続いて、横表示における視差表示態様について説明する。
まず、ＢＬ６０から位相差板６までの光軸関係については、図１２での説明と同様である。また、横表示の場合、バリアＬＣＤ７の偏光領域７ａがＯＦＦ状態とされるとともに、偏光領域７ｂがＯＮ状態となるように制御部７３（図１１）によって制御される。
また、図１６の説明において、光の進行ルートが４つに分岐するため、それぞれのルートに（ｈ）〜（ｋ）の附番を附して説明する。
【００７０】
（ｈ）位相差板６の偏光領域６ａから出射された約１０５°の偏光軸を有する光のうち、バリアＬＣＤ７の偏光領域７ａ（ＯＦＦ）に入射した光は、偏光領域７ａの約１２０°の偏光軸に対して線対称の偏光軸に変化された状態で、約１３５°の偏光軸を有する光として偏光板８に出射される。
（ｉ）位相差板６の偏光領域６ａから出射された約１０５°の偏光軸を有する光のうち、バリアＬＣＤ７の偏光領域７ｂ（ＯＮ）に入射した光は、略そのままの偏光軸を有する光として偏光板８に出射される。
【００７１】
（ｊ）位相差板６の偏光領域６ｂから出射された約１６５°の偏光軸を有する光のうち、バリアＬＣＤ７の偏光領域７ａ（ＯＦＦ）に入射した光は、約１２０°の偏光軸に対して線対称の偏光軸に変化された状態で、約７５°の偏光軸を有する光として偏光板８に出射される。
（ｋ）位相差板６の偏光領域６ｂから出射された約１６５°の偏光軸を有する光のうち、バリアＬＣＤ７の偏光領域７ｂ（ＯＮ）に入射した光は、略そのままの偏光軸を有する光として偏光板８に出射される。
【００７２】
（ｈ）ルートにおいて、バリアＬＣＤ７から偏光板８に入射した光は、偏光板８によって吸収される。
（ｉ）ルートにおいて、バリアＬＣＤ７から偏光板８に入射した光は、約４５°の偏光軸を有する光となって偏光板８から出射される。
（ｊ）ルートにおいて、バリアＬＣＤ７から偏光板８に入射した光は、約４５°の偏光軸を有する光となって偏光板８から出射される。
（ｊ）ルートにおいて、バリアＬＣＤ７から偏光板８に入射した光は、約４５°の偏光軸を有する光となって偏光板８から出射される。
このようにして、位相差板６、バリアＬＣＤ７、および偏光板８の光学作用によって、図６に示した横視差バリア８０ｙが形成される。
【００７３】
図１７は、横表示における表示態様の断面図である。
図１７は、図６の上段の断面図に対応しており、表示装置１０１の横表示における断面をより詳細に示したものである。
前述した通り、位相差板６、バリアＬＣＤ７、および偏光板８によって図６の横視差バリア８０ｙが実現されている。
詳しくは、左目Ｌｖには、実線で示すように、左画素を透過し、画像データ「左」の階調に応じた明るさとなった表示光が観察される。換言すれば、右画素を透過し、画像データ「右」の階調に応じた明るさとなった表示光は、破線で示すように、偏光板８によって吸収されるため、左目Ｌｖには殆ど入射しない。
また、右目Ｒｖには、実線で示すように、右画素を透過し、画像データ「右」の階調に応じた明るさとなった表示光が観察される。換言すれば、左画素を透過し、画像データ「左」の階調に応じた明るさとなった表示光は、破線で示すように、偏光板８によって吸収されるため、右目Ｒｖには殆ど入射しない。
【００７４】
「２Ｄ画像表示における表示態様」
図１８は、２Ｄ画像表示における光軸関係を示す図である。
続いて、２Ｄ画像の表示態様について説明する。
まず、ＢＬ６０から位相差板６までの光軸関係については、図１２での説明と同様である。また、２Ｄ画像表示の場合、縦表示および横表示共通でバリアＬＣＤ７の偏光領域７ａ，７ｂ共にＯＮ状態となるように制御部７３（図１１）によって制御される。
このため、バリアＬＣＤ７の偏光領域７ａ，７ｂ共に、入射した光を略その光軸のまま出射する光学作用を有する。
【００７５】
詳しくは、位相差板６の偏光領域６ａから出射された約１０５°の偏光軸を有する光は、バリアＬＣＤ７に入射した後、略そのままの偏光軸を維持した状態で偏光板８に出射される。そして、偏光板８に入射した光は、約４５°の偏光軸を有する光となって偏光板８から出射される。
また、位相差板６の偏光領域６ｂから出射された約１６５°の偏光軸を有する光は、バリアＬＣＤ７に入射した後、略そのままの偏光軸を維持した状態で偏光板８に出射される。そして、偏光板８に入射した光は、約４５°の偏光軸を有する光となって偏光板８から出射される。
【００７６】
このようにして、位相差板６、バリアＬＣＤ７、および偏光板８の光学作用によって、視差バリア部８０において遮光部（バリア）を形成しない２Ｄ画像表示モードを実現することができる。よって、縦表示および横表示のいずれにおいても、表示パネル７０の画像を略そのまま観察することができる。
【００７７】
上述した通り、本実施形態に係る視差画像データの合成方法、および表示装置１００，１０１によれば、以下の効果を得ることができる。
図７で説明したように、縦視差画像データは、奇数番目の画素行では、奇数のＣ画素データＣＭが画像データ「右」「左」「右」の順番で合成され、偶数のＣ画素データＣＭが画像データ「左」「右」「左」の順番で合成される。また、偶数番目の画素行では、奇数のＣ画素データＣＭが画像データ「左」「右」「左」の順番で合成され、偶数のＣ画素データＣＭが画像データ「右」「左」「右」の順番で合成される。
よって、各画素行において、左右の画素データが交互に配置されることになるため、２視点による視差画像表示に適合した視差画像データを合成することができる。
【００７８】
また、「右」「左」「右」の順番で合成されたＣ画素データＣＭは右目用画像データをベースとし、「左」「右」「左」の順番で合成されたＣ画素データＣＭは左目用画像データをベースとしており、この２種類のＣ画素データＣＭが画素行の延在方向に交互に配置されることになる。
つまり、カラー画素行を構成する視差カラー画素のベースとなるカラー画素が左目用画像データと右目用画像データとで交互に配置されることになるため、違和感のないスムーズな立体画像を表示可能な、視差画像データを合成することができる。
【００７９】
さらに、図５で説明したように、縦視差画像データは、左目Ｌｖから観察される左画像、および右目Ｒｖから観察される右画像のいずれにおいても、それぞれが市松模様の画像として観察される表示装置１００，１０１の構成に対応したデータ配置となっている。
この市松模様の左右画像では、カラー画素が画素行を跨いで構成されるため、水平方向の解像度を高めることができる。
詳しくは、例えば、図５の下段左側の左画像において、遮光部が画素行Ｐ11の並びのままＹ軸方向に延在していた場合、換言すれば、画素列Ｐ11が遮光部で、画素列Ｐ12が透過部というように、Ｘ軸方向において遮光部と透過部とが交互にストライプ状に配置されていた場合、１つのカラー画素は、例えば、画素Ｐ12,Ｐ14,Ｐ16から構成されることになる。このカラー画素は、水平方向に５画素分の長さを持って構成されることになるが、本実施形態の市松模様におけるカラー画素によれば、水平方向の長さは３画素分となるため、左右画像それぞれにおいて、水平方向の解像度を高めることができる。
従って、高解像度の視差画像が得られる市松模様の配置態様に適合した縦視差画像データを合成することができる。
【００８０】
図８で説明したように、横視差画像データは、画素行ごとに、右画像データのＣ画素データと、左画像データのＣ画素データとが交互に配置されている。
つまり、横視差画像データは、右画像データおよび左画像データにおけるカラー画素データが画素データ列の延在方向に連続したカラー画素データ列を、横視差画像データのデータ配列におけるカラー画素データ行として用いており、右画像データのＣ画素データと、左画像データのＣ画素データとが交互に配置されている。
よって、横表示におけるカラー画素が左目用画像データと右目用画像データとで交互に配置された横視差画像データを合成することができる。
【００８１】
また、図６の下段に示すように、横表示における左画像および右画像は、ともにストライプ状に観察されるが、解像度の劣化は少ない。
詳しくは、例えば、図６の下段左側の左画像において、１つのカラー画素Ｃ41は、画素Ｐ41,Ｐ42,Ｐ43から構成されることになり、Ｘ軸方向に密接している。また、Ｘ軸（＋）方向には、カラー画素Ｃ42が隣接している。
よって、水平方向（Ｙ軸方向）のカラー画素は、１画素行置きに現れるため若干解像度が低下するが、Ｘ軸方向の解像度は劣化することがないため、解像度の劣化は少ない。
従って、横表示の配置態様に適合した横視差画像データを合成することができる。
【００８２】
さらに、図９で説明したように、左画像データの配置をＣ画素データ単位で、反時計周りに−９０°回転させて配置することによって、横表示の２Ｄ画像データを合成することができる。
従って、左画像データと右画像データとの１つのセットから、縦視差画像データ、および横視差画像データ、並びに、横表示の２Ｄ画像データを合成することができる。
【００８３】
また、表示装置１００，１０１によれば、姿勢センサＳ１からの表示姿勢の検知データに基づき、検知データが縦表示の場合は、縦視差画像データを合成するとともに、視差バリア部８０の態様を図４の縦視差バリア８０ｔに変更する。
また、検知データが横表示の場合は、横視差画像データを合成するとともに、視差バリア部８０の態様を図４の横視差バリア８０ｙに変更する。
従って、自動的に表示姿勢を検知するとともに、検知した表示姿勢に適合した視差画像表示を行うことができる。
【００８４】
表示装置１００，１０１は、偏光軸の異なる第１領域と第２領域とを有する位相差板６と、偏光軸を可変に設けられた第３領域と第４領域とを有するバリアＬＣＤ７と、偏光板８とが、この順番で重ねられて構成された視差バリア部８０を備えている。
この視差バリア部８０が有する複数の偏光領域を表示姿勢に応じて透過部、または遮光部に切換えることにより、縦表示の場合は図４の縦視差バリア８０ｔを形成し、また、横表示の場合は図４の横視差バリア８０ｙを形成することができる。
さらに、２Ｄ表示の場合は、全ての偏光領域を透過部とすることもできる。
従って、縦表示および横表示における指向性表示に加えて、各表示姿勢において２Ｄ表示も行うことができる。
【００８５】
（実施形態２）
「表示装置の基本構成」
図１９は、実施形態２に係る表示装置の概略構成を示す斜視図であり、図２に対応している。
ここでは、実施形態１での説明と同様に、縦横姿勢のそれぞれにおいて２次元表示と、指向性表示とを実現させる表示装置２００の基本構成と表示原理について説明する。なお、この基本構成と表示原理に基づく、具体的な表示装置の構成については後述する。
また、実施形態１の表示装置１００の構成と同一の構成部位については、同一の番号を附し、重複する説明は省略する。
【００８６】
表示装置２００は、実施形態１の表示装置１００と同様に、縦横姿勢のそれぞれにおいて２次元表示と、指向性表示とを行うことができる。つまり、図１のＭＭＰ５００の表示装置１００を表示装置２００に置き換えて、同様の機能を実現することができる。
図１９に示すように、表示装置２００は、バックライト（ＢＬ）１６０、表示パネル７０などから構成されている。実施形態１の表示装置１００との相違点は、視差バリア部８０（図２）を備えていないことと、ＢＬ６０と異なる構成のＢＬ１６０を備えていることの２点である。その他の構成は、表示装置１００と同様である。
【００８７】
面発光装置としてのＢＬ１６０は、略白色光を出射する有機ＥＬ（Electro Luminescence）素子を光源として用いたバックライトであり、表示パネル７０の表示領域と向い合う発光面に複数の発光画素を備えている。
表示装置２００は、縦表示での指向性表示、横表示での指向性表示、および２Ｄ表示を、それぞれＢＬ１６０の発光画素の点灯態様を異ならせることにより実現している。
次の段落で、それらの表示原理について説明する。
【００８８】
「指向性表示の表示原理」
図２０は、指向性表示におけるＢＬの点灯態様を示す図である。図２１は、縦表示における表示態様を示す図である。図２２は、横表示における表示態様を示す図である。また、図２０〜２２は、それぞれ図４〜６に対応している。
続いて、縦表示および横表示それぞれにおける指向性表示の表示態様および原理について説明する。
図２０には、表示パネル７０の姿勢が縦表示の場合におけるＢＬ１６０の点灯態様を示す縦ＢＬ１６０ｔと、横表示の場合におけるＢＬ１６０の点灯態様を示す横ＢＬ１６０ｙとが示されている。
なお、説明の都合上、図２０に向って、縦ＢＬ１６０ｔは表示パネル７０の上方に、横ＢＬ１６０ｙは表示パネル７０の左側に、それぞれ離れた状態で描かれているが、実際は表示パネル７０の背面（Ｚ軸（＋）方向）にＢＬ１６０が重なっている。
【００８９】
「縦表示における指向性表示」
まず、姿勢センサＳ１（図１９）による姿勢検出の結果が縦表示であった場合、ＢＬ１６０の複数の発光画素は、図２０に示すような、縦ＢＬ１６０ｔの点灯態様となる。
詳しくは、ハッチングが掛かっている部分が消灯部となり、白抜きの部分が点灯部となる。例えば、画素行Ｐ11と重なる発光画素行では、Ｘ軸方向に連続する２つの画素を１つの画素対としたときに、当該画素対の２つの画素を跨る部分が点灯部となり、隣り合う画素対を跨る部分が消灯部となるように、点灯部と消灯部とがＸ軸方向に交互に形成されている。
また、画素行Ｐ21と重なる発光画素行でも、同様に点灯部と消灯部とがＸ軸方向に交互に形成されている。ここで、当該発光画素行の点灯部および消灯部は、上段のバリア行の点灯部および消灯部から、１画素分Ｘ軸方向にシフトした配置となっている。
また、図示していないが、画素行Ｐ31と重なる発光画素行でも、点灯部と消灯部とがＸ軸方向に交互に形成され、かつ、画素列方向で、画素行Ｐ21の発光画素行から１画素分Ｘ軸方向にシフトした配置となっている。
つまり、縦表示における縦ＢＬ１６０ｔは、点灯部（消灯部）がチェック状の市松模様となるような態様となる。
【００９０】
図２１の上段には、図１（ａ）において、縦表示における表示装置２００をＹ軸（＋）方向から観察したときの、表示装置２００の断面、および観察者の視点が示されている。
ここで、表示パネル７０には、各画素行において、左目用の画像データ「左」と、右目用の画像データ「右」とがＸ軸方向に交互に供給されている。
また、左右の画像データは、図２０で説明した発光画素行と同様に、Ｙ軸方向において１画素分ずつＸ軸方向にシフトした配置となっている。このような左右の画像が合成された画像データは、縦表示用の視差画像データによって規定されているが、視差画像データの詳細については、後述する。
そして、このように左右の画像データが表示されている表示パネル７０を観察すると、左目Ｌｖには、実線で示すように、点灯部から出射された光が左画素を透過し、画像データ「左」の階調に応じた明るさの表示光となって観察される。また、破線で示すように、消灯部からは光が出射されないため、右画素を透過した光は左目Ｌｖには殆ど入射しない。
【００９１】
また、右目Ｒｖには、実線で示すように、点灯部から出射された光が右画素を透過し、画像データ「右」の階調に応じた明るさの表示光となって観察される。また、破線で示すように、消灯部からは光が出射されないため、左画素を透過した光は右目Ｒｖには殆ど入射しない。
つまり、縦ＢＬ１６０ｔの点灯態様は、左目Ｌｖ視点から観察したときに、左画素を透過した延長線上が点灯部で、右画素を透過した延長線上が消灯部となり、かつ、右目Ｒｖ視点から観察したときに、右画素を透過した延長線上が点灯部で、左画素を透過した延長線上が消灯部となるようにレイアウトされている。
このようにして、左目Ｌｖには左画素を透過した画像データ「左」によって表される左画像の表示光が入射し、右目Ｒｖには右画素を透過した画像データ「右」によって表される右画像の表示光が入射することになり、縦表示において指向性表示が実現される。
【００９２】
図２１の下段左側には、左目Ｌｖにて視認される左画像の表示態様が示されている。具体的には、画素行Ｐ11では、Ｐ11,Ｐ13,Ｐ15,Ｐ17…というように奇数画素が観察されている。また、画素行Ｐ21では、Ｐ22,Ｐ24,Ｐ26,Ｐ28…というように偶数画素が観察されている。以下、図示は省略しているが、画素行ごとに奇数画素と偶数画素とが交互に入れ替って観察される。
つまり、左目Ｌｖには、市松模様をなした左画像が観察されることになる。
図２１の下段右側には、右目Ｒｖにて視認される表示態様が示されている。具体的には、画素行Ｐ11では、Ｐ12,Ｐ14,Ｐ16,Ｐ18…というように偶数画素が観察されている。また、画素行Ｐ21では、Ｐ21,Ｐ23,Ｐ25,Ｐ27…というように奇数画素が観察されている。以下、図示は省略しているが、画素行ごとに偶数画素と奇数画素とが交互に入れ替って観察される。
つまり、右目Ｒｖには、市松模様をなした右画像が観察されることになる。
【００９３】
また、カラー画素の態様については、図５での説明と同様である。
要約すると、縦表示の「左」画像、および「右」画像のそれぞれにおいて、２つの画素行を跨いで、Ｘ軸方向に隣り合う３つの画素からカラー画素が形成される。
【００９４】
「横表示における指向性表示」
図２０に戻る。
次に、姿勢センサＳ１（図１９）による姿勢検出の結果が横表示であった場合、ＢＬ１６０の複数の発光画素は、図２０に示すような、横ＢＬ１６０ｙの点灯態様となる。
詳しくは、ハッチングが掛かっている部分が消灯部となり、白抜きの部分が点灯部となる。例えば、画素行Ｐ21と画素行Ｐ31とを１つの画素行対としたときに、点灯部は当該画素行対の２つの画素行を跨ぐように形成されている。また、隣り合う画素行対を跨る部分が消灯部となっており、点灯部と消灯部とがＹ軸方向に交互に形成されている。
つまり、横表示における横ＢＬ１６０ｙは、点灯部（消灯部）が画素列の延在方向（Ｙ軸方向）にストライプ状に形成された態様となっている。
【００９５】
図２２の上段には、図１（ｂ）において、横表示における表示装置２００をＸ軸（−）方向から観察したときの、表示装置２００の断面、および観察者の視点が示されている。
ここで、表示パネル７０には、左目用の画像データ「左」と、右目用の画像データ「右」とがＹ軸方向に画素列単位で交互に供給されている。なお、このような左右の画像が合成された画像データは、横表示用の視差画像データによって規定されているが、視差画像データの詳細については、後述する。
そして、このように左右の画像データが表示されている表示パネル７０を観察すると、左目Ｌｖには、実線で示すように、点灯部から出射された光が左画素を透過し、画像データ「左」の階調に応じた明るさの表示光となって観察される。また、破線で示すように、消灯部からは光が出射されないため、右画素を透過した光は左目Ｌｖには殆ど入射しない。
【００９６】
また、右目Ｒｖには、実線で示すように、点灯部から出射された光が右画素を透過し、画像データ「右」の階調に応じた明るさの表示光となって観察される。また、破線で示すように、消灯部からは光が出射されないため、左画素を透過した光は右目Ｒｖには殆ど入射しない。
つまり、横ＢＬ１６０ｙの点灯態様は、左目Ｌｖ視点から観察したときに、左画素を透過した延長線上が点灯部で、右画素を透過した延長線上が消灯部となり、かつ、右目Ｒｖ視点から観察したときに、右画素を透過した延長線上が点灯部で、左画素を透過した延長線上が消灯部となるようにレイアウトされている。
このようにして、左目Ｌｖには左画素を透過した画像データ「左」によって表される左画像の表示光が入射し、右目Ｒｖには右画素を透過した画像データ「右」によって表される右画像の表示光が入射することになり、横表示において指向性表示が実現される。
【００９７】
図２２の下段左側には、左目Ｌｖにて視認される表示態様が示されている。具体的には、画素行Ｐ11,Ｐ31…というように奇数番目の画素行が観察される。
つまり、左目Ｌｖには、ストライプ状の左画像が観察されることになる。
図２２の下段右側には、右目Ｒｖにて視認される表示態様が示されている。具体的には、画素行Ｐ21,Ｐ41…というように偶数番目の画素行が観察される。
つまり、右目Ｒｖには、ストライプ状の右画像が観察されることになる。
また、カラー画素の態様については、図６での説明と同様である。
要約すると、左画像および右画像共に、画素行において連続する３つの画素ごとに１つのカラー画素が形成される。
【００９８】
「縦表示および横表示における２Ｄ画像表示」
図２０に戻る。
ここまで、縦表示および横表示それぞれにおける指向性表示の原理について説明したが、表示装置２００では、各表示態様において、それぞれ２次元画像（２Ｄ）表示を行うことができる。
詳しくは、２Ｄ表示を行う場合、ＢＬ１６０の全ての発光画素を点灯させる。
つまり、消灯部を形成せずに、表示パネル７０の表示領域全面を照射することにより、表示パネル７０の画像をそのまま観察することができる。なお、このようなＢＬ１６０の機能については、後述する。
【００９９】
「視差画像データ（縦）の合成方法」
図２３は、縦表示における視差画像データの合成方法の説明図であり、図７に対応している。
ここでは、縦表示における視差画像データの合成方法について、図７と異なる点を中心に説明する。
【０１００】
図２３の下段には、左画像データと右画像データとから合成された縦表示用の視差画像データ態様が示されている。このデータ態様では、図７のＣ画素データＣＭに相当するカラー画素データとして、Ｃ画素データＣＮを用いている。
まず、実施形態１の表示装置１００と本実施形態の表示装置２００とでは、例えば、図５の各視点からの観察される画像と、図２１の各視点からの観察される画像とを比べてみれば明らかなように、左目Ｌｖで観察される表示パターンと、右目Ｒｖで観察される表示パターンとが入れ替っている。
これは、視差バリア部８０（図２）を用いて指向性表示を行う表示装置１００と、ＢＬ１６０の点灯態様によって指向性表示を行う表示装置２００との構成の違いによるものであるが、観察されるパターンが異なっていても適正な画像が観察される必要がある。
このため、表示装置２００の縦視差画像データでは、左目Ｌｖで左画像データが観察され、右目Ｒｖで右画像データが観察されるように、「左」「右」画像データの配置を入れ替えている。
【０１０１】
詳しくは、図７の画素行Ｐ11では、画像データ「右」から始まり、以下、Ｘ軸（＋）方向に「左」「右」が交互に配置されているが、図２３の画素行Ｐ11は、画像データ「左」から始まり、以下、「右」「左」が交互に配置される。
そのため、Ｃ画素データＣＮ11は、左画像データのＣ画素データＣＬ11をベースとして、右画像データの画素データが加えられている。
具体的には、Ｃ画素データＣＮ11の両サイドの画素に位置するデータ領域には、Ｃ画素データＣＬ11の両サイドの画素に位置する画像データ「左」が入っている。
そして、Ｃ画素データＣＮ11の真ん中の画素に位置するデータ領域には、Ｃ画素データＣＲ11の真ん中に位置する画像データ「右」が入っている。
つまり、Ｃ画素データＣＮ11は、両サイドの画素の画像データが「左」で、中央の画素の画像データが「右」という配置で合成されている。
【０１０２】
Ｃ画素データＣＮ11の隣のＣＮ12は、右画像データのＣ画素データＣＲ12をベースとして、左画像データの画素データも加えられている。
詳しくは、Ｃ画素データＣＮ12の両サイドの画素に位置するデータ領域には、Ｃ画素データＣＲ12の両サイドの画素に位置する画像データ「右」が入っている。
そして、Ｃ画素データＣＮ12の真ん中の画素に位置するデータ領域には、Ｃ画素データＣＬ12の真ん中に位置する画素の画像データ「左」が入っている。
つまり、Ｃ画素データＣＮ12は、両サイドの画素の画像データが「右」で、中央の画素の画像データが「左」という配置で合成されている。
以下同様に、画素行Ｐ11における奇数のＣ画素データＣＮ13,ＣＮ15では、Ｘ軸方向に画像データ「左」「右」「左」の順番で合成され、偶数のＣ画素データＣＮ14では、Ｘ軸方向に画像データ「右」「左」「右」の順番で合成される。
【０１０３】
また、画素行Ｐ21では、奇数のＣ画素データＣＮ21,ＣＮ23,ＣＮ25が画像データ「右」「左」「右」の順番で合成され、偶数のＣ画素データＣＮ22,ＣＮ24が画像データ「左」「右」「左」の順番で合成される。
また、画素行Ｐ31では、画素行Ｐ11と同様な配列となり、奇数のＣ画素データＣＮ31,ＣＮ33,ＣＮ35では、Ｘ軸方向に画像データ「左」「右」「左」の順番で合成され、偶数のＣ画素データＣＮ32,ＣＮ34では、Ｘ軸方向に画像データ「右」「左」「右」の順番で合成される。
以下同様に、画素行Ｐ41では画素行Ｐ21と同様な配列となり、画素行Ｐ51では画素行Ｐ11と同様な配列となる。
つまり、奇数番目の画素行では、奇数のＣ画素データＣＮが画像データ「左」「右」「左」の順番で合成され、偶数のＣ画素データＣＮが画像データ「右」「左」「右」の順番で合成される。また、偶数番目の画素行では、奇数のＣ画素データＣＮが画像データ「右」「左」「右」の順番で合成され、偶数のＣ画素データＣＮが画像データ「左」「右」「左」の順番で配置される。
【０１０４】
図２１の縦表示の態様において、このようにして合成された縦表示用の視差画像データを用いて、表示を行うと以下のように観察されることになる。
図２１の左目Ｌｖから観察される左画像は、当該図面の遮光されたチェック模様の画素をマスクとして、図２３の左画像データに重ねたときに、当該マスクから露出した市松模様の画素に対応した画像データによって表される画像となる。
また、図２１の右目Ｒｖから観察される右画像は、当該図面の遮光されたチェック模様の画素をマスクとして、図２３の右画像データに重ねたときに、当該マスクから露出した市松模様の画素に対応した画像データによって表される画像となる。
【０１０５】
「視差画像データ（横）の合成方法」
図２４は、横表示における視差画像データの合成方法の説明図であり、図８に対応している。
ここでは、横表示における視差画像データの合成方法について、図８と異なる点を中心に説明する。
【０１０６】
まず、横表示においても、縦表示と同様に、例えば、図６の各視点からの観察される画像と、図２２の各視点からの観察される画像とを比べてみれば明らかなように、左目Ｌｖで観察される表示パターンと、右目Ｒｖで観察される表示パターンとが入れ替っている。
このため、表示装置２００の横視差画像データでも、左目Ｌｖで左画像データが観察され、右目Ｒｖで右画像データが観察されるように、「左」「右」画像データの配置を入れ替えている。
【０１０７】
詳しくは、図８では、画素行Ｐ11の画像データ「右」から始まり、以下、Ｙ軸（−）方向に「左」「右」が交互に配置されているが、図２４では、画素行Ｐ11の画像データ「左」から始まり、「右」「左」が交互に配置されている。
具体的には、最上段の画素行Ｐ11では、Ｃ画素データＣＬ15からＸ軸（＋）方向に、Ｃ画素データＣＬ25,ＣＬ35,ＣＬ45,ＣＬ55の順番で、図２４の左画像データのＣ画素データが配置されている。
画素行Ｐ21では、Ｃ画素データＣＲ14からＸ軸（＋）方向に、Ｃ画素データＣＲ24,ＣＲ34,ＣＲ44,ＣＲ54の順番で、右画像データのＣ画素データが配置されている。
画素行Ｐ31では、Ｃ画素データＣＬ13からＸ軸（＋）方向に、Ｃ画素データＣＬ23,ＣＲ33,ＣＬ43,ＣＬ53の順番で、左画像データのＣ画素データが配置されている。
画素行Ｐ41では、Ｃ画素データＣＲ12からＸ軸（＋）方向に、Ｃ画素データＣＲ22,ＣＲ32,ＣＲ42,ＣＲ52の順番で、右画像データのＣ画素データが配置されている。
そして、最下段の画素行Ｐ51では、Ｃ画素データＣＬ11からＸ軸（＋）方向に、Ｃ画素データＣＬ21,ＣＬ31,ＣＬ41,ＣＬ51の順番で、左画像データのＣ画素データが配置されている。
【０１０８】
つまり、画素行ごとに、左画像データのＣ画素データと、右画像データのＣ画素データとが交互に配置されている。
また、横表示用の視差画像データの画素配置は、図２４の右画像データおよび左画像データを、それぞれ反時計周りに９０°回転させたときのレイアウトとなっている。
【０１０９】
図２２の横表示の態様において、このようにして合成された横表示用の視差画像データを用いて、表示を行うと以下のように観察されることになる。
図２２の左目Ｌｖから観察される左画像は、左画像データの奇数番目のＣ画素データ列ＣＬによって表されるストライプ状の画像となる。
また、図２２の右目Ｒｖから観察される右画像は、右画像データの偶数番目のＣ画素データ列ＣＲによって表されるストライプ状の画像となる。
【０１１０】
「具体的な表示装置の構成」
図２５は、表示装置のブロック図であり、図１１に対応している。
ここでは、前述の表示装置２００の原理に基づく特徴点を実現するための表示装置２０１の構成について説明する。なお、実施形態１の表示装置１００，１０１の構成と同一の構成部位については、同一の番号を附し、重複する説明は省略する。
【０１１１】
まず、表示装置２０１と図１１の表示装置１０１との相違点は、表示装置２０１にはバリアＬＣＤ７（図１１）に係る部位が備えられていないことと、複数の発光画素を有するＢＬ１６０を点灯駆動するための構成を備えていることの２点である。その他の構成は、表示装置１０１と同様である。
ＢＬ駆動部１６３は、ＢＬ１６０の有機ＥＬからなる複数の発光画素を表示態様に応じて選択的に点灯および消灯させるための駆動回路である。
また、制御部７３に附属する記憶部７５には、ＢＬ１６０の制御プログラムも記憶されている。詳しくは、制御部７３は、縦表示の場合にはＢＬ１６０を図２０の縦ＢＬ１６０ｔの点灯態様とするための、また、横表示の場合にはＢＬ１６０を図２０の横ＢＬ１６０ｙの点灯態様とするための、また、２Ｄ表示の場合には全ての発光画素を点灯させるための制御信号を、ＢＬ駆動部１６３に送信する。
【０１１２】
「ＢＬの構成」
図２６（ａ）は、表示パネルおよびＢＬの側断面図である。図２６（ｂ）は、（ａ）におけるｑ部の部分拡大図である。
ここでは、液晶パネル３およびＢＬ１６０の具体的な構造について説明する。
液晶パネル３は、素子基板４１、対向基板４２、シール材４３、液晶４４などから構成されている。
液晶パネル３は、対向する素子基板４１と対向基板４２との間に、例えば、ＴＮ型の液晶４４を挟持した透過型の液晶パネルである。液晶４４は、シール材４３によって囲まれた表示領域を含む領域に封入されている。なお、液晶４４を含む液晶パネル３の種類は、ＶＡ（Vertical Alignment）方式、またはＩＰＳ（In Plane Switching）方式、若しくはＦＦＳ（Fringe Field Switching）方式であっても良い。
また、素子基板４１の背面側には偏光板４が設けられ、対向基板４２の表面側には偏光板５が設けられている。偏光板４，５は、吸収型偏光板である。なお、液晶パネル３（表示パネル７０）における表示面とは、偏光板５の表面を指す。
【０１１３】
素子基板４１の液晶４４側には、画素電極領域４５が形成されている。画素電極領域４５には、図３で説明した複数の画素Ｐごとに画素電極が形成されている。また、画素電極領域４５の下層には、素子層が設けられており、素子層には、画素電極を表示駆動するための薄膜トランジスタ（いずれも図示せず）が、画素電極ごとに対応して形成されている。
なお、液晶パネル３は、平面的に対向基板４２から素子基板４１の一辺が突出した張出し領域１１（図１９）を備えており、張出し領域１１には、画像信号処理部７１から供給される画像信号に基づき、液晶パネル３を走査表示駆動するための走査線駆動回路や、データ線駆動回路などを含む駆動用ＩＣ１２が実装されている。
また、対向基板４２の液晶４４側には、カラーフィルタ領域４６、および共通電極（図示せず）が形成されている。カラーフィルタ領域４６には、図３で説明した複数の画素Ｐごとに画素電極と平面的に重なるように、ＲＧＢ各色用のカラーフィルタが形成されている。
【０１１４】
ＢＬ１６０は、基板２１、平面点灯部２８などから構成されており、液晶パネル３の背面に偏光板４を介して密着して配置されている。
基板２１上には、反射層２２、絶縁層２３、ＢＬ画素電極２４、有機機能層２５、共通電極２６、第１封止層２７、第２封止層２９が、この順番で積層されている。また、ＢＬ画素電極２４が形成されている層のことを、ＢＬ電極層２４ともいう。
平面点灯部２８は、このうち、反射層２２から共通電極２６までの積層部分を示している。また、平面点灯部２８において平面的にＢＬ画素電極２４と重なる部分を発光画素Ｌとしている。
【０１１５】
発光画素Ｌの有機機能層２５で発した光のうち、シリコン窒化膜、またはシリコン酸化膜からなる第１封止層２７側へ向かう光は、透明な当該層、および透明な樹脂からなる第２封止層２９を通過して、偏光板４に入射する。また、有機機能層２５で発した光のうち、基板２１側へ向かう光は、ＩＴＯ（Indium Tin Oxide）などの透明電極からなるＢＬ画素電極２４、および透明な絶縁層２３を透過した後、金属薄膜からなる反射層２２で反射され、再度、各層を透過した後、偏光板４に入射する。
つまり、ＢＬ１６０は、ＢＬ画素電極２４と共通電極２６との間に電圧を印加することにより、第２封止層２９側から光を出射するトップエミッション型の有機ＥＬ光源装置である。
【０１１６】
また、反射層２２は、ＢＬ画素電極２４と同様に、平面的には発光画素Ｌごとに分割されている。具体的には、平面的にＢＬ画素電極２４と同様な大きさに形成されている。
詳細は後述するが、反射層２２は、配線層としての機能も果たしており、所定のＢＬ画素電極２４間を電気的に接続するのに用いられている。
例えば、２つのＢＬ画素電極２４Ａ，２４Ｂを反射層２２において接続する場合、各ＢＬ画素電極と、対応する下層の反射層２２との間を、絶縁層２３にコンタクトホール（スルホール）を設けて、それぞれ電気的に接続する。さらに、反射層２２において、ＢＬ画素電極２４Ａ，２４Ｂに対応する反射層２２間を繋ぐ配線を形成する。
また、ＢＬ電極層２４も、配線層として機能する。例えば、隣り合う２つのＢＬ画素電極２４が、同時に点灯駆動される画素電極であった場合、それらを繋ぐ配線をＩＴＯで形成しておけば、２つのＢＬ画素電極を電気的に１つの画素電極として扱うことができる。
【０１１７】
なお、図２６（ｂ）においては、簡略化のため有機機能層２５を１層で示しているが、実際は、複数層から形成されている。具体的には、例えば、トリアリールアミン（ＡＴＰ）多量体からなる正孔注入層と、ＴＰＤ（トリフェニルジアミン）系材料からなる正孔輸送層と、アントラセン系ドーパントやルブレン系ドーパントを含むスチリルアミン系材料（ホスト）からなる発光層と、アルミニウムキノリノール（Ａｌｑ３）からなる電子注入層とを、この順に積層した積層体となっている。また、電子注入層上に、ＬｉＦからなる電子注入バッファ層がさらに形成されることもある。
【０１１８】
「ＢＬの発光画素レイアウト、および点灯態様」
図２７（ａ）は、ＢＬの平面的な発光画素配置を示す図である。図２８は縦表示における発光画素の点灯態様を示す図である。図２９は横表示における発光画素の点灯態様を示す図である。
ここでは、図２１および図２２を用いて説明した横表示および縦表示における指向性表示を実現するためのＢＬの発光画素配置および発光態様について説明する。
図２７（ａ）において、発光画素Ｌ（図２６）は、縦表示の時に選択的に点灯される発光画素Ｌｔと、横表示の時に選択的に点灯される発光画素Ｌｙと、横表示時および縦表示時の両方において点灯される発光画素Ｌｃと、２次元画像を表示するときに点灯される発光画素Ｌａとの４種類から構成されている。なお、図２７において、発光画素Ｌａには模様を付けてあるが、これは、図面を見易くするためであり、他意はない。また、発光画素Ｌａは、補完発光画素に相当する。
【０１１９】
まず、２次元画像を表示する場合について説明する。
２次元画像を表示する場合、縦表示または横表示の表示姿勢に拘らず、全ての発光画素が点灯される。具体的には、４種類の発光画素Ｌｔ、Ｌｙ、Ｌｃ、Ｌａの全てが同時に点灯される。この時、各発光画素には、「ｕ」Ｖの駆動電圧が印加される。
なお、これらの動作や処理は、制御部７３（図２５）が姿勢センサＳ１からの姿勢が変化したことを示す検知データや、操作部７６への操作に応じて、記憶部７５の関連プログラム、およびデータに基づき各部を制御することにより行われる。また、以下説明する縦表示、横表示における動作や処理も、同様にして行われる。
【０１２０】
次に、縦表示の場合、画素行の最上段におけるＸ軸方向に隣り合う２つの画素からなる画素対、例えば、「画素Ｐ11,Ｐ12」における画素間を跨ぐように配置された発光画素Ｌｔと、その発光画素ＬｔのＹ軸（＋）方向に連続する発光画素Ｌｃとからなる発光画素対（Ｌｔ11）が選択的に点灯される。この発光画素対のことを第１発光画素としての縦発光画素Ｌｔ11という。
また、同様に、「画素Ｐ11,Ｐ12」からＸ軸（＋）方向に連続する画素対においても、各画素対を構成する画素間を跨ぐように配置された縦発光画素Ｌｔ12，Ｌｔ13…が選択的に点灯される。
【０１２１】
また、画素行Ｐ21においても、隣り合う２つの画素からなる画素対、例えば、「画素Ｐ22,Ｐ23」における画素間を跨ぐように配置された発光画素Ｌｔと、その発光画素ＬｔのＹ軸（−）方向に連続する発光画素Ｌｃとからなる縦発光画素Ｌｔ22が選択的に点灯される。
同様に、「画素Ｐ22,Ｐ23」に隣り合う複合画素においても、各画素対を構成する画素間を跨ぐように配置された縦発光画素Ｌｔが選択的に点灯される。
以下、上述した２行の画素行のレイアウトが、Ｙ軸（−）方向に繰り返し配置される。
また、縦表示の場合には、各発光画素に２次元画像における駆動電圧の２倍の駆動電圧「２ｕ」Ｖが印加される。
【０１２２】
図２８には、縦表示におけるＢＬ１６０の点灯態様が示されている。また、図２８は、図２０に対応している。
ここでは、２つの縦発光画素Ｌｔ11,Ｌｔ22を例にして説明する。
縦発光画素Ｌｔ11から出射された光ＦL1は、画素Ｐ11を透過して、図２１における左目Ｌｖに入射する。また、縦発光画素Ｌｔ11から出射された光ＦR1は、画素Ｐ12を透過して、図２１における右目Ｒｖに入射する。
同様に、縦発光画素Ｌｔ22から出射された光ＦL2は、画素Ｐ22を透過して、図２１における左目Ｌｖに入射する。また、縦発光画素Ｌｔ22から出射された光ＦR2は、画素Ｐ23を透過して、図２１における右目Ｒｖに入射する。
このようにして、図２１に示すように、左目Ｌｖには、市松模様をなした左画像が観察され、また、右目Ｒｖには、市松模様をなした右画像が観察されることになる。
【０１２３】
図２７に戻る。
次に、横表示の場合について説明する。
横表示の場合、Ｙ軸方向に連続する２つの画素行からなる画素行対、例えば、「画素行Ｐ21,Ｐ31」における画素行間を跨ぐように配置された複数の発光画素Ｌｙ，Ｌｃからなる２段の発光画素行（Ｌｙ2）が選択的に点灯される。この発光画素行のことを第２発光画素としての横発光画素Ｌｙ2という。なお、最上段の横発光画素Ｌｙ1は、画素配置の端部に位置するため上段の発光画素が全て発光画素Ｌｙから構成されているが、他の横発光画素Ｌｙ2,Ｌｙ3…などと同一のピッチで配置されている。
また、同様に、画素行Ｐ31からＹ軸（−）方向に連続する画素行対においても、各画素行対を構成する画素行間を跨ぐように配置された横発光画素Ｌｙ3…が選択的に点灯される。
また、横表示の場合には、各発光画素に２次元画像における駆動電圧の２倍の駆動電圧「２ｕ」Ｖが印加される。
【０１２４】
図２９には、横表示におけるＢＬ１６０の点灯態様が示されている。また、図２９は、図２２に対応している。
ここでは、横発光画素Ｌｙ2を例にして説明する。
横発光画素Ｌｙ2から出射された光ＦLは、画素行Ｐ31を透過して、図２２における左目Ｌｖに入射する。また、横発光画素Ｌｙ2から出射された光ＦRは、画素行Ｐ21を透過して、図２２における右目Ｒｖに入射する。
このようにして、図２２に示すように、左目Ｌｖにはストライプ状の左画像が観察され、また、右目Ｒｖにはストライプ状の右画像が観察されることになる。
【０１２５】
「ＢＬの発光画素の配線態様」
図２７（ｂ）は、発光画素の配線態様を示す図である。
続いて、発光画素の配線態様について説明する。
まず、図２６で説明した通り、同一種類の発光画素を配線によって接続する場合、ＢＬ電極層２４、および反射層２２を用いることができる。
まず、最上段の発光画素Ｌｙについては、ＢＬ電極層２４においてＸ軸方向に連続した配線ｈ１１を通すことにより１つのセグメント電極とする。また、その下段の発光画素Ｌｙと、発光画素ＬｃとがＸ軸方向に交互に現れる発光画素行における発光画素Ｌｙも、配線ｈ１１に接続する。
また、発光画素Ｌｙ，Ｌｃとからなる発光画素行の発光画素Ｌｃについては、ＢＬ画素電極ごとにコンタクトホールを設けて自らの反射層２２（図２６）と導通を取り、反射層の間隙を通る配線ｈ１４によって、それぞれのＢＬ画素電極を電気的に接続し、行方向において１つのセグメント電極とする。
【０１２６】
発光画素Ｌｔについては、ＢＬ電極層２４において、Ｘ軸方向に隣り合う発光画素Ｌｔ間をジグザグ状に通る配線ｈ１２を設けることにより、発光画素Ｌｔの各ＢＬ画素電極を電気的に接続し、行方向において１つのセグメント電極とする。
発光画素Ｌａについては、配線ｈ１４と同様に反射層２２において、Ｘ軸方向に隣り合う発光画素Ｌｔ間をジグザグ状に通る配線ｈ１３を設けることにより、発光画素Ｌｔの各ＢＬ画素電極を電気的に接続し、行方向において１つのセグメント電極とする。
また、最上段以外の発光画素Ｌｙについては、ＢＬ電極層２４において、Ｘ軸方向に隣り合う発光画素Ｌｃ間をジグザグ状に通る配線ｈ１５を設けることにより、発光画素Ｌｙの各ＢＬ画素電極を電気的に接続し、行方向において１つのセグメント電極とする。なお、配線ｈ１５は、発光画素領域の外部で配線ｈ１１と接続される。
【０１２７】
このようにして、４種類の発光画素Ｌｔ、Ｌｙ、Ｌｃ、ＬａにおけるＢＬ画素電極２４（図２６）を、それぞれ種類ごとに電気的に接続して、４つのセグメント電極として構成することができる。
なお、配線態様は、上記の接続方法に限定するものではなく、ＢＬ電極層、および反射層を配線層として用いて、４種類の発光画素をまとめて４つのセグメント電極として構成できる配線パターンであれば良い。
【０１２８】
上述した通り、本実施形態に係る視差画像データの合成方法、および表示装置２００，２０１によれば、実施形態１の効果に加えて、以下の効果を得ることができる。
図２３の縦視差画像データは、図７の縦視差画像データにおける奇数番目の画素行と、偶数番目の画素行とを入れ替えた配置となっている。
また、図２４の横視差画像データは、図８の横視差画像データの画素列方向における右左の画像データの配置を入れ替えて、換言すれば、Ｙ軸（−）方向に画素行ごとに左右の順番で配置したものである。
よって、実質的に実施形態１で説明した視差画像データと同じデータ構成であることから、実施形態１と同様な作用効果を得ることができる。
【０１２９】
表示装置２００，２０１によれば、姿勢センサＳ１からの表示姿勢の検知データに基づき、検知データが縦表示の場合は、縦視差画像データを合成するとともに、ＢＬ１６０を図２０の縦ＢＬ１６０ｔの点灯態様とする。
また、検知データが横表示の場合は、横視差画像データを合成するとともに、ＢＬ１６０を図２０の横ＢＬ１６０ｙの点灯態様とする。
従って、自動的に表示姿勢を検知するとともに、検知した表示姿勢に適合した視差画像表示を行うことができる。
【０１３０】
表示装置２００，２０１は、縦発光画素、および横発光画素を含む複数の発光画素を有するＢＬ１６０を備えている。
このＢＬ１６０が有する複数の発光画素を表示姿勢に応じて点灯、または消灯することにより、縦表示の場合は図２０の縦ＢＬ１６０ｔの点灯態様とし、また、横表示の場合は図２０の横ＢＬ１６０ｙの点灯態様とすることができる。
さらに、２Ｄ表示の場合は、全ての発光画素を点灯させることができる。
従って、縦表示および横表示における指向性表示に加えて、各表示姿勢において２Ｄ表示も行うことができる。
また、図２の視差バリア部８０の機能を、図１９のＢＬ１６０のみで賄うことができるため、実施形態１の表示装置に比べて、構成をシンプルにすることができる。特に、視差バリア部８０が不要となるため、その分、薄型の表示装置２００，２０１を提供することができる。
【０１３１】
ＢＬ１６０は、トップエミッション型の有機ＥＬ光源である平面点灯部２８を備えている。平面点灯部２８の上層には、第１封止層２７と第２封止層２９との薄い封止層が２層積層されているのみであり、点灯部から、表示パネル７０までの距離を短くすることができる。
指向性表示を行う場合、視差バリアの機能を担うＢＬ１６０と、表示パネル７０との距離を短くすることにより、左目Ｌｖ、右目Ｒｖそれぞれにおいて当該視点側の画像のみを観察できる視野角（適視範囲）を広くすることができる。
よって、視野角（適視範囲）が広い視差画像表示を行うことができる。
【０１３２】
ＢＬ１６０に配置されている４種類の発光画素Ｌｔ、Ｌｙ、Ｌｃ、Ｌａは、４つのセグメントとして構成されている。
よって、ＢＬ１６０の構成をシンプルにすることができる。また、制御部７３は、供給される画像信号の種類や、表示パネル７０の姿勢に応じて、電気的に４つの発光画素の点灯および消灯の制御を行えば良い。
従って、複雑な制御を必要とせずに、簡便な制御方法によってＢＬ１６０の点灯制御を行うことができる。
さらに、横表示および縦表示の指向性表示においては、ＢＬ１６０の発光画素に供給する駆動電圧を、２次元画像表示における駆動電圧の２倍としている。
従って、横表示および縦表示のいずれにおける指向性表示時も、２次元画像表示の場合と略同等の表示輝度の画像を提供することができる。
【０１３３】
（電子機器）
図３０は、上記表示装置を搭載した携帯電話を示す斜視図である。
表示装置１０１は、例えば、電子機器としての携帯電話３００に搭載して用いることができる。
携帯電話３００は、本体部３５０と、当該本体部に対して開閉自在に設けられた表示部３７０とを備えるとともに、実施形態１に係る表示装置１０１を内蔵している。詳しくは、表示装置１０１は、表示部３７０に組み込まれており、表示パネル７０が表示画面となっている。
また、本体部３５０には、複数の操作ボタンを有する操作部３６５が設けられており、当該操作ボタンには、表示装置１０１の操作部７６（図１１）の機能も含まれている。
従って、携帯電話３００によれば、縦横表示それぞれにおいて、指向性表示を行うことができる。さらに、表示パネル７０で表示するのに適した視差画像データによって指向性表示が行われるため、特に、スムーズな立体画像を行うことができる。
また、表示装置１０１の代わりに、各実施形態に係る表示装置１００，２００，２０１を用いても良く、この場合であっても、同様な作用効果を得ることができる。なお、この場合、図３０の表示装置１０１を表示装置１００，２００，２０１のいずれかに読替えるものとする。
【０１３４】
また、携帯電話の態様は、図３０に示した折畳み式に限定するものではなく、表示パネルを備えた携帯電話であれば良い。
例えば、本体部３５０に対して表示部３７０が折畳み、および旋回可能に設けられた携帯電話であっても良い。または、一体型の携帯電話や、一体型の本体部に操作部が収納されているスライド式の携帯電話であっても良い。
また、電子機器としては、携帯電話に限定するものではなく、表示パネルを備えた電子機器であれば良い。
例えば、カーナビゲーションシステム用の表示装置や、ＰＤＡ（Personal Digital Assistants）、モバイルコンピュータ、デジタルカメラ、デジタルビデオカメラ、車載機器、オーディオ機器などの各種電子機器に用いることができる。
【０１３５】
なお、本発明は上述した実施形態に限定されず、上述した実施形態に種々の変更や改良などを加えることが可能である。変形例を以下に述べる。
【０１３６】
（変形例１）
図３１（ａ）は、横表示の異なる態様を示す図であり、図１（ｂ）に対応している。図３１（ｂ）は、横表示における視差画像データを示す図であり、図８に対応している。
実施形態１で説明した図８の縦視差画像データは、図１（ｂ）の横表示に対応したものであったが、図３（ａ）に示す横表示の場合であっても、視差画像データを合成し、視差表示を行うことができる。
詳しくは、図１（ｂ）の横表示は、図１（ａ）の状態から表示パネル７０を時計周りに９０°回転させた表示姿勢であったが、図３１（ａ）の横表示では、図１（ａ）の状態から表示パネル７０を反時計周りに９０°回転させた表示姿勢となっている。なお、この表示姿勢のことを横表示２という。
図３１（ｂ）には、横表示２における横視差画像データの配列が示されている。合成方法の原理自体は、実施形態１での説明と同様であるが、表示姿勢が反転しているため、図８のデータ配列とはＣ画素データの配列順が異なっている。
【０１３７】
詳しくは、図８のデータ配列では、右画像データ、および左画像データを反時計回りに９０°回転させたレイアウトとなっていたが、図３１（ｂ）の横視差画像データでは、右画像データ、および左画像データを時計回りに９０°回転させたレイアウトとなっている。また、表示姿勢の反転に伴い、画素列方向（Ｙ軸（−）方向）において画素行ごとに入れ替る左右の画像データの順番が、図８の配列とは反対の左右の順番となっている。その他の部分は、図８での説明と同様である。
よって、横表示２の表示態様に適合した横視差画像データを合成することができる。
【０１３８】
図３２は、横表示における視差画像データを示す図であり、図２４に対応している。
また、実施形態２においても、同様に横表示２に対応した横視差画像データを合成することができる。
詳しくは、図３２の横視差画像データは、右画像データ、および左画像データを時計回りに９０°回転させたレイアウトとなっている。また、表示姿勢の反転に伴い、画素列方向（Ｙ軸（−）方向）において画素行ごとに入れ替る左右の画像データの順番が、図２４の配列とは反対の右左の順番となっている。その他の部分は、図２４での説明と同様である。
よって、横表示２の表示態様に適合した横視差画像データを合成することができる。
【０１３９】
また、横表示２の姿勢検出は、前述したように姿勢センサＳ１の１ヶ使いによる検知データによって検出することができるが、図３１（ａ）に示すように、姿勢センサＳ１に加えて、姿勢センサＳ２を設けて、２つのセンサからの検知データを用いて横表示と横表示２とを識別する構成であっても良い。
この場合、姿勢センサＳ２を表示パネル７０の横表示、または横表示２における上方側の辺に配置することが望ましい。
この構成によれば、姿勢センサ１が縦表示における上方側に配置され、姿勢センサ２が横表示（または横表示２）における上方側に配置されることになるため、表示姿勢を精度良く識別することができる。
さらに、姿勢センサ２は、横表示、または横表示２のいずれかの上方側に配置されているため、横表示と横表示２との識別は容易に行うことができる。
従って、縦表示、横表示、横表示２において指向性表示を行うことができる表示装置１００，１０１，２００，２０１を提供することができる。
【０１４０】
（変形例２）
図３３は、異なるアスペクト比の表示パネルでの表示態様を示す図である。
前述したように、実施形態１および２に係る視差画像データの合成方法は、画素行および画素列における画素データ数が等しい、換言すれば、アスペクト比が１：１の画素データ配置を前提としたものであるが、縦横の長さが異なる表示パネルにおいても、当該合成方法によって合成された視差画像データを表示することができる。
詳しくは、アスペクト比が１：１のデータ配列を用いて視差画像データを合成した後に、当該視差画像データに対して画像信号処理部７１およびフレームメモリ７２によるスケーリング処理を施すことによって、使用する表示パネルのアスペクト比に合わせて画像を表示させることができる。なお、スケーリング処理には、ダウンスケーリング、画像の切り出し、画像データの間引き、および補完などの処理が含まれている。
【０１４１】
例えば、図３３の事例では、縦長の表示領域を備えた表示パネル１７０に、アスペクト比１：１の表示パネル７０の画像データから画像データの切り出しを行うことにより、縦長の表示領域一杯に人物の２次元画像ｊが表示されている。
詳しくは、画像信号処理部７１によって、表示パネル７０の画像データにおける２本の点線で囲まれた表示パネル１７０のアスペクト比に対応した領域Ｓの画像データを切り出し、表示パネル１７０の解像度に合わせて拡大（補間）した画像データを合成して、表示パネル１７０に表示している。なお、図３３では、説明を容易にするため２Ｄ画像を用いているが、３Ｄ画像を含む視差画像の場合でも同様にスケーリング処理を行うことができる。
【０１４２】
また、図３３の下段に示す事例では、表示パネル１７０を時計回りに９０°回転させて、横表示とした場合において、表示パネル１７０にサイドパネル方式による２次元画像ｊを表示させている。
詳しくは、表示パネル７０の画像データ（元画像データ）はアスペクト比１：１のまま用いて、横表示の表示パネル１７０の両サイドに黒画像Ｋを表示させている。換言すれば、元画像データによる２次元画像ｊの両サイドに黒画像Ｋを表示させている。
このように、表示装置１００，１０１，２００，２０１によれば、縦横比が異なる表示パネルを用いた場合であっても、前記各実施形態と同様に、２Ｄ画像表示、および指向性表示を行うことができる。
【０１４３】
（変形例３）
図３を用いて説明する。
前記各実施形態、および変形例においては、図３に示すように、ＲＧＢに対応した画素Ｐ11，Ｐ12，Ｐ13から１つの略正方形のカラー画素を形成し、そのカラー画素を繰り返し配置する画素配列を採用していた。換言すれば、Ｙ軸方向に長い長方形の画素を、Ｘ軸方向に３つ並べて略正方形からなる１つのカラー画素を形成する画素配列を採用していたが、カラー画素の態様をこれに限定するものではない。
具体的には、１つのカラー画素内におけるカラーフィルタの配列は、ＲＧＢの各色が含まれていれば良く、ＢＲＧであっても良いし、ＧＢＲであっても良い。
また、カラー画素の形状は正方形であることに限定されず、表示される画像コンテンツなどの用途に応じて変更しても良い。例えば、カラー画素の形状は長方形であっても良く、その場合、カラー画素の３画素の形状もそれに合わせて変更する。
これらの構成であっても、前記各実施形態、および変形例と略同様な作用効果を得ることができる。
【０１４４】
（変形例４）
実施形態２において、ＢＬ１６０は、複数の発光画素を備えたトップエミッション型のバックライトであるものとして説明したが、前述したような複数の発光画素を備えた面発光装置であれば良い。
例えば、ＢＬ１６０は、発光画素電極が形成された基板側から光を出射するボトムエミッション型の有機ＥＬ光源装置であっても良い。または、複数の発光画素としてＬＥＤ（Light Emitting Diode）を用いた面発光装置であっても良い。
また、各実施形態２において、発光画素を種類ごとに１つのセグメントとして駆動していたが、１つの発光画素ごとに駆動する構成であっても良い。例えば、図２７（ａ）における複数の発光画素それぞれに駆動用の薄膜トランジスタを設け、個別に点灯制御することであっても良い。なお、この場合、薄膜トランジスタは、図２６（ｂ）のＢＬ電極層２４の下層側における基板２１に形成する。
これらの構成であっても、実施形態２と同様な作用効果を得ることができる。
【０１４５】
（変形例５）
図２７（ａ）を用いて説明する。
実施形態２においては、縦発光画素Ｌｔは２画素分のピッチで配置され、また、横発光画素Ｌｙは２画素行分のピッチで配置されていたが、発光画素の配置ピッチは、画素ピッチ、および画素行ピッチに依存していなくても良い。
例えば、縦発光画素Ｌｔの配置ピッチが２画素分よりも短い場合であっても、縦発光画素Ｌｔの幅を広げたり、または、配置ピッチを１つ置きに長短とすることによって、横発光画素Ｌｔが２画素の間を跨るように配置されていれば良い。
つまり、発光画素の配置ピッチが画素ピッチ、および画素行ピッチに依存していなくても、結果的に、縦発光画素Ｌｔが２画素の間を跨るように配置され、また、縦発光画素Ｌｙが２画素行間に跨るように配置される画素レイアウトであれば良い。
これらの構成であっても、実施形態２と略同様な作用効果を得ることができる。
【図面の簡単な説明】
【０１４６】
【図１】実施形態１に係る表示装置を備えた電子機器の一態様を示す図。
【図２】表示装置の概略構成を示す斜視図。
【図３】画素レイアウトを示す平面図。
【図４】指向性表示における視差バリア態様を示す図。
【図５】縦表示における表示態様を示す図。
【図６】横表示における表示態様を示す図。
【図７】縦表示における視差画像データの合成方法の説明図。
【図８】横表示における視差画像データの合成方法の説明図。
【図９】２Ｄ画像データを示す図。
【図１０】表示装置の概略構成を示す斜視図。
【図１１】表示装置のブロック図。
【図１２】縦表示の視差画像表示における光軸関係を示す図。
【図１３】位相差板の部分平面図。
【図１４】バリア液晶パネルの部分平面図。
【図１５】縦表示における表示態様の断面図。
【図１６】横表示の視差画像表示における光軸関係を示す図。
【図１７】横表示における表示態様の断面図。
【図１８】２Ｄ画像表示における光軸関係を示す図。
【図１９】実施形態２に係る表示装置の概略構成を示す斜視図。
【図２０】指向性表示におけるＢＬの点灯態様を示す図。
【図２１】縦表示における表示態様を示す図。
【図２２】横表示における表示態様を示す図。
【図２３】縦表示における視差画像データの合成方法の説明図。
【図２４】横表示における視差画像データの合成方法の説明図。
【図２５】表示装置のブロック図。
【図２６】（ａ）表示パネルおよびＢＬの側断面図、（ｂ）ｑ部の部分拡大図。
【図２７】（ａ）ＢＬの平面的な発光画素配置を示す図、（ｂ）発光画素の配線態様を示す図。
【図２８】縦表示における発光画素の点灯態様を示す図。
【図２９】横表示における発光画素の点灯態様を示す図。
【図３０】表示装置を搭載した携帯電話を示す斜視図。
【図３１】（ａ）変形例１に係る横表示の異なる態様を示す図、（ｂ）横表示における視差画像データを示す図。
【図３２】横表示における視差画像データを示す図。
【図３３】変形例２に係るアスペクト比が異なる表示パネルでの表示態様を示す図。
【符号の説明】
【０１４７】
３…液晶パネル、６…位相差板、６ａ…第１領域としての偏光領域、６ｂ…第２領域としての偏光領域、７…バリア液晶パネルとしてのバリアＬＣＤ、７ａ…第３領域としての偏光領域、７ｂ…第４領域としての偏光領域、８…偏光板、６０，１６０…面発光装置としてのＢＬ（バックライト）、７０…表示パネル、７１…画像信号処理部、７３…制御部、８０…視差バリア部、１００，１０１，２００，２０１…表示装置、５００…電子機器としてのＭＭＰ、３００…電子機器としての携帯電話、「左」，「右」…画素データとしての左／右画素データ、ＣＬ，ＣＲ…カラー画素データ、ＣＭ…視差カラー画素データとしてのＣ画素データ、Ｌｔ11〜Ｌｔ13…第１発光画素としての縦発光画素、Ｌ，Ｌｔ，Ｌｙ，Ｌｃ，Ｌａ…発光画素、Ｌｙ1〜Ｌｙ3…第２発光画素としての横発光画素、Ｌｖ…第１の視点としての左目、Ｒｖ…第２の視点としての右目、Ｐ…画素、Ｓ１，Ｓ２…姿勢センサ。
【図１】
2010109414.tif 000003
【図２】
2010109414.tif 000004
【図３】
2010109414.tif 000005
【図４】
2010109414.tif 000006
【図５】
2010109414.tif 000007
【図６】
2010109414.tif 000008
【図７】
2010109414.tif 000009
【図８】
2010109414.tif 000010
【図９】
2010109414.tif 000011
【図１０】
2010109414.tif 000012
【図１１】
2010109414.tif 000013
【図１２】
2010109414.tif 000014
【図１３】
2010109414.tif 000015
【図１４】
2010109414.tif 000016
【図１５】
2010109414.tif 000017
【図１６】
2010109414.tif 000018
【図１７】
2010109414.tif 000019
【図１８】
2010109414.tif 000020
【図１９】
2010109414.tif 000021
【図２０】
2010109414.tif 000022
【図２１】
2010109414.tif 000023
【図２２】
2010109414.tif 000024
【図２３】
2010109414.tif 000025
【図２４】
2010109414.tif 000026
【図２５】
2010109414.tif 000027
【図２６】
2010109414.tif 000028
【図２７】
2010109414.tif 000029
【図２８】
2010109414.tif 000030
【図２９】
2010109414.tif 000031
【図３０】
2010109414.tif 000032
【図３１】
2010109414.tif 000033
【図３２】
2010109414.tif 000034
【図３３】
2010109414.tif 000035